(57)【特許請求の範囲】
【請求項１】
被扉体設置対象物の被閉切り部に沿って左右方向に移動自在に設けられこの被閉切り部の閉塞時にこの被閉切り部の中央を閉塞する第１の扉体と、
前記被扉体設置対象物の前記被閉切り部に沿って左右方向に移動自在に設けられこの被閉切り部の閉塞時に前記第１の扉体のそれぞれ左右両側に位置しこの被閉切り部のそれぞれ左右両側を閉塞する第２の扉体および第３の扉体と、
前記第１の扉体に設けられ前記第２の扉体と前記第３の扉体とに互いに異なる移動方向の力を作用させる連動手段とを具備し、
前記連動手段は、
前記第１の扉体の左右両側部にそれぞれ設けた回転自在なプーリと、
これら左右両側部のプーリに掛け渡した環状のベルト体と、
このベルト体の左右方向に移動する一側に前記第２の扉体を連結した一側伝達体と、
前記ベルト体の一側の移動方向とは反対方向に移動する他側に前記第３の扉体を連結した他側伝達体とを備えたベルト機構であり、
前記一側伝達体および前記他側伝達体と前記第２の扉体および前記第３の扉体とのいずれか一方には、上下方向に沿って突出する嵌挿突部がそれぞれ設けられ、
他方の前記両伝達体または前記両扉体には、前記嵌挿突部が嵌挿される被嵌挿部がそれぞれ設けられている
ことを特徴とする扉装置。
【請求項２】
被嵌挿部は、嵌挿突部が嵌挿される嵌挿用孔である
ことを特徴とする請求項１記載の扉装置。
【請求項３】
被嵌挿部は、嵌挿突部が嵌挿される凹部である
ことを特徴とする請求項１記載の扉装置。
【請求項４】
嵌挿突部は、第２の扉体および第３の扉体にそれぞれ設けられたピボット軸である
ことを特徴とする請求項１ないし３のいずれか一記載の扉装置。
【請求項５】
一側伝達体および他側伝達体には、上下方向に沿って突出する軸状の嵌挿突部がそれぞれ設けられ、
第２の扉体および前記第３の扉体には、前記嵌挿突部が嵌挿される被嵌挿部がそれぞれ設けられている
ことを特徴とする請求項１ないし３のいずれか一記載の扉装置。
【請求項６】
一側伝達体および他側伝達体には、レール部内であって一対のレール片間に摺動自在に係合する係合凸部が突出形成されている
ことを特徴とする請求項１記載の扉装置。
【発明の詳細な説明】
【０００１】
【発明の属する技術分野】
本発明は、家具或いは間仕切り等の三つの扉体を容易に開閉できる扉装置に関する。
【０００２】
【従来の技術】
一般に、被扉体設置対象物、例えば、家具あるいは建造物において、設置スペース等との関係で、観音開きの扉体または折り畳み式の間仕切り扉体を用いることに適さない場合には、その家具本体の前方或いはその建造物の空間に所定のスペースを必要としない引違い扉、間仕切り引違い扉等が用いられる。
【０００３】
従来の引違い扉を設けた家具等では、被閉切り部としての開口部の寸法長さの関係から、または、開口時における家具本体の被閉切り部としての開口部をより広くする方法として、引違い扉体の数を増やすことが知られている。
【０００４】
例えば、建具において、左右方向に個々に移動する三つの引違い扉体を設けた構造が知られている。
【０００５】
【発明が解決しようとする課題】
しかしながら、三つの引違い扉体が個々に移動する構造を家具に用いると、家具本体の開口部を最大限に開閉する場合に、少なくとも二つの扉体を開閉方向に移動させる作業が必要であり、開閉作業が煩雑である問題を有している。
【０００６】
家具本体の開口部の両側を開閉する場合には、まず、一側の引違い扉体を開口方向である中央に位置する引違い扉体側に移動させ、次に、他側の引違い扉体も開口方向である中央に位置する引違い扉体側に移動させ、その後、それぞれの引違い扉体を開口部の閉塞位置に移動させる作業が必要であり開閉作業が煩雑である。
【０００７】
また、家具本体の一側に収納した収納物を取り出すために、家具本体の開口部の一側を最大限に開く場合には、まず、一側の引違い扉体を開口方向に移動させ、さらに、中央の引違い扉体を他側に位置する引違い扉体側に移動させる作業が必要であり開口作業が煩雑であるとともに、この一側開口状態から、この家具本体の開口部を閉じる場合にも、まず、一側の引違い扉体を閉塞方向に移動させ、さらに、中央の引違い扉体を一側に位置する引違い扉体側に所定位置まで移動させる作業が必要であり閉塞作業も煩雑である。
【０００８】
さらに、家具本体の両側に収納した収納物を取り出すために、家具本体の開口部の一側を開いた後、開口部の他側を開く場合に、まず、一側の引違い扉体を開口方向に移動させ、さらに、中央の引違い扉体を他側に位置する引違い扉体側に移動させる。そして、その後、３枚の引違い扉体をそれぞれ開口部の一側側に移動させる作業が必要であり開口作業が煩雑である。
【０００９】
また、家具本体の開口部の両側を開口し、両側の収納物を一旦確認した後に、この家具本体の開口部の一側を最大限に開口する場合があるが、この場合には、まず、一側の引違い扉体を開口方向である中央に位置する引違い扉体側に移動させ、次に、他側の引違い扉体も開口方向である中央に位置する引違い扉体側に移動させる。そして、その後、三つの引違い扉体をそれぞれ開口部の他側側に移動させる作業が必要であり、開口作業が煩雑である。
【００１０】
本発明は、このような点に鑑みなされたもので、三つの扉体の扉装置であるにも拘らず、煩雑な開閉作業を伴わない扉装置を提供することを目的とする。
【００１１】
【課題を解決するための手段】
請求項１記載の発明の扉装置は、被扉体設置対象物の被閉切り部に沿って左右方向に移動自在に設けられこの被閉切り部の閉塞時にこの被閉切り部の中央を閉塞する第１の扉体と、前記被扉体設置対象物の前記被閉切り部に沿って左右方向に移動自在に設けられこの被閉切り部の閉塞時に前記第１の扉体のそれぞれ左右両側に位置しこの被閉切り部のそれぞれ左右両側を閉塞する第２の扉体および第３の扉体と、前記第１の扉体に設けられ前記第２の扉体と前記第３の扉体とに互いに異なる移動方向の力を作用させる連動手段とを具備し、前記連動手段は、前記第１の扉体の左右両側部にそれぞれ設けた回転自在なプーリと、これら左右両側部のプーリに掛け渡した環状のベルト体と、このベルト体の左右方向に移動する一側に前記第２の扉体を連結した一側伝達体と、前記ベルト体の一側の移動方向とは反対方向に移動する他側に前記第３の扉体を連結した他側伝達体とを備えたベルト機構であり、前記一側伝達体および前記他側伝達体と前記第２の扉体および前記第３の扉体とのいずれか一方には、上下方向に沿って突出する嵌挿突部がそれぞれ設けられ、他方の前記両伝達体または前記両扉体には、前記嵌挿突部が嵌挿される被嵌挿部がそれぞれ設けられているものである。
【００１２】
請求項２記載の発明の扉装置は、請求項１記載の扉装置において、被嵌挿部は、嵌挿突部が嵌挿される嵌挿用孔であるものである。
【００１３】
請求項３記載の発明の扉装置は、請求項１記載の扉装置において、被嵌挿部は、嵌挿突部が嵌挿される凹部であるものである。
【００１４】
請求項４記載の発明の扉装置は、請求項１ないし３のいずれか一記載の扉装置において、嵌挿突部は、第２の扉体および第３の扉体にそれぞれ設けられたピボット軸であるものである。
【００１５】
請求項５記載の発明の扉装置は、請求項１ないし３のいずれか一記載の扉装置において、一側伝達体および他側伝達体には、上下方向に沿って突出する軸状の嵌挿突部がそれぞれ設けられ、第２の扉体および前記第３の扉体には、前記嵌挿突部が嵌挿される被嵌挿部がそれぞれ設けられているものである。
【００１６】
請求項６記載の発明の扉装置は、請求項１記載の扉装置において、一側伝達体および他側伝達体には、レール部内であって一対のレール片間に摺動自在に係合する係合凸部が突出形成されているものである。
【００１７】
【発明の実施の形態】
まず、本発明の扉装置の第１の関連技術の構成を図１ないし図６を参照して説明する。
【００１８】
図１ないし図４において、１は被扉体設置対象物としての家具本体であり、この家具本体１は、天板２、底板３、左側板４、右側板５および図示しない背板にて、ほぼ前側に被閉切り部としての開口部６を有した略箱状に形成され、この家具本体１内に、本、衣類、食器等が収納される。そして、この家具本体１の底板３の下面には、幕板７が取り付けられ、家具本体１はこの幕板７を介して床８の上に配置されている。
【００１９】
また、この家具本体１の天板２の前端上面部には、左右方向に延在するアルミニウム等にて成形した上レール体10が固着されている。この上レール体10の上面部の前側には、凹溝状の第１の上ガイドレール12が一体に形成され、かつ、この第１の上ガイドレール12の後側に位置してこの第１の上ガイドレール12にほぼ平行な凹溝状の第２の上ガイドレール13が一体に形成されている。また、この上レール体10の上面部の後側には、略板状の脱輪防止板14が取り付けられている。
【００２０】
一方、この家具本体１の底板３の前端下面部には、左右方向に延在するアルミニウム等にて成形した下レール体16が固着されている。この下レール体16は、上面の全体が底板３に固着した略平板状の取付板17を有し、この取付板17の下面からは、前側から順に三つの略平板状の仕切片18，19，20が突出して一体に形成されている。
【００２１】
そして、これら取付板17と前側および中央の仕切片18，19とで第１の下ガイドレール21を形成し、また、これら取付板17と中央および後側の仕切片19，20とで第２の下ガイドレール22を形成する。
【００２２】
なお、この第１の下ガイドレール21と前記第１の上ガイドレール12とで第１のガイドレール25が構成され、また、この第２の下ガイドレール22と前記第２の上ガイドレール13とで第２のガイドレール26が構成される。
【００２３】
さらに、前記下レール体16の左右端部には第１の下ガイドレール21内に位置して、図５に示す係止手段としてのストッパー体27，27が固着されている。各ストッパー体27は合成樹脂等にて略直方体状に形成され、このストッパー体27のほぼ中央部には上下面に貫通した取付ねじ用孔29が形成されている。また、このストッパー体27の一端部の前後面には、下レール体16の前側および中央の仕切片18，19に係合する係合面30，30が形成されている。
【００２４】
一方、このストッパー体27の他端部には弾性変形部31，31が突設され、これら弾性変形部31，31には、一端側から他端側に向って拡開状に傾斜した案内面32，32が形成されている。また、これら案内面32，32の内端部にこれら案内面32，32の内端間の寸法より径の大きい略円弧状の係止凹部34が形成されている。
【００２５】
なお、この弾性変形部31，31間に、後述の下ランナー体81，102に設けた係止軸87を挿入すると、この係止軸87が案内面32，32に案内されて、係止凹部34に保持された状態で係止される。
【００２６】
一方、図１ないし図４において、41は扉装置であり、この扉装置41は、上下方向に縦長の長方形状で板状の第１の扉体42を有している。この第１の扉体42は、前記第１のガイドレール25に、家具本体１の開口部６に沿って移動自在に配設され、家具本体１の開口部６の閉塞時には、図１に示すように、この開口部６のほぼ中央を閉塞する。
【００２７】
また、この扉装置41は、前記第１の扉体42の左右方向の長さに対しほぼ２分の１の左右方向の長さの上下方向に縦長の長方形状で板状の第２の扉体43および第３の扉体44を有している。
【００２８】
この第２の扉体43は、前記第２のガイドレール26に、家具本体１の開口部６に沿って移動自在に配設され、家具本体１の開口部６の閉塞時には、図１に示すように、例えば、前記第１の扉体42の左側、つまり、家具本体１の開口部６の左側である閉塞位置に位置して、この開口部６の左側を閉塞する。
【００２９】
一方、第３の扉体44は、前記第２のガイドレール26に家具本体１の開口部６に沿って移動自在に配設され、家具本体１の開口部６の閉塞時には、図１に示すように、例えば、前記第１の扉体42の右側、つまり、家具本体１の開口部６の右側である閉塞位置に位置して、この開口部６の右側を閉塞する。
【００３０】
なお、第２および第３の扉体43，44は、第１の扉体42に対し前方に位置し、第１の扉体42の移動軌跡に沿った前側を移動する。
【００３１】
そして、前記第１の扉体42の上端部には、左右側に位置して上ランナー体45がそれぞれ図示しないねじにて固着されている。そして、この上ランナー体45は、金属製の断面略逆Ｌ字状の取付部46を有し、この取付部46の水平部47の下面にローラ部48が設けられている。このローラ部48は回転自在の上ガイドローラ49を有し、このローラ部48の下面から突出したこの上ガイドローラ49の一部が、前記第１の上ガイドレール12上に移動自在に係合している。
【００３２】
一方、この第１の扉体42の下端部には、両端を除く位置に下ランナーユニット50がねじ51にて固着されている。そして、この下ランナーユニット50は、金属製の断面略Ｌ字状の取付部52を有し、この取付部52の水平部53の左右端部には、略円筒状の中空軸54が立設されている。この中空軸54内には、上下に移動可能にローラ軸55が挿通され、このローラ軸55の上端部には下ガイドローラ58が回転自在に取り付けられている。なお、このローラ軸55の下端部には外周に突出した抜止め部59が一体に形成されている。
【００３３】
そして、この下ガイドローラ58は、ばね60にて取付部52の水平部53に対して上方に付勢され、前記第１の下ガイドレール21内に移動可能に位置している。なお、ローラ軸55が中空軸54に対して上下に移動可能であり、下ガイドローラ58をばね60の付勢に反して下方に位置させて、第１の扉体42の取り付け、取り外しが行われる。
【００３４】
また、前記第１の扉体42に設けられている下ランナーユニット50の取付部52の水平部53に立設した左側に位置する中空軸54の近傍には、左側プーリシャフト65が下方に立設され、この左側プーリシャフト65には、回動自在に左側プーリ66が取り付けらている。
【００３５】
一方、前記取付部52の水平部53に立設した右側に位置する中空軸54の近傍には、右側プーリシャフト67が下方に立設され、この右側プーリシャフト67には、回動自在に右側プーリ68が取り付けられ、前記第１の扉体42の左右両端部の下部に左側プーリ66および右側プーリ68が取り付けられた構成となる。
【００３６】
そして、これら左側プーリ66と右側プーリ68とには、無端環状のベルト体70、例えば、内周面に凹凸部を形成したタイミングベルトが掛け渡されている。
【００３７】
次に、前記第２の扉体43の上端部には、左右側に位置して上外ランナー体75が図示しないねじにて固着されている。そして、この上外ランナー体75は、金属製の断面略逆Ｌ字状の取付部76を有し、この取付部76の水平部77の下面にローラ部78が設けられている。このローラ部78は回転自在の上外ガイドローラ79を有し、このローラ部78の下面から突出したこの上外ガイドローラ79の一部が、前記第２の上ガイドレール13上に移動自在に係合している。また、このローラ部78は、側面に位置する回転自在のガイドローラ80を有し、このガイドローラ80は、上レール体10の脱輪防止板14に沿って移動する。
【００３８】
一方、この第２の扉体43の下端部には、左右側に位置して下ランナー体81，82が固着されている。そして、この下ランナー体81，82は、金属製の断面略Ｌ字状の取付部83を有し、この取付部83の水平部84の後端のほぼ中央部には、略円筒状の中空軸85が立設されている。この中空軸85内には、上下に移動可能にローラ軸86が挿通され、このローラ軸86の上端部には下外ガイドローラ88が回転自在に取り付けられている。なお、このローラ軸86の下端部には外周に突出した抜止め部89が一体に形成されている。
【００３９】
そして、この下外ガイドローラ88は、ばね90にて取付部83の水平部84に対して上方に付勢され、前記第２の下ガイドレール22内に移動自在に位置している。なお、ローラ軸86が中空軸85に対して上下に移動可能であり、下外ガイドローラ88をばね90の付勢に反して下方に位置させて、第２の扉体43の取り付け、取り外しが行われる。
【００４０】
また、左側に位置する下ランナー体81には、取付部83の水平部84に立設したローラ軸86の近傍に位置して、略円柱状の係止軸87が立設されている。なお、この係止軸87の先端部は、前記第１の下ガイドレール21内に位置し、閉塞時においては、前記ストッパー体27の係止凹部34に保持された状態で係止されている。
【００４１】
さらに、右側に位置する下ランナー体82には、取付部83の水平部84に連続して突出部91が一体に形成されている。この突出部91は、上方に向って形成された略矩形状の取付面部92を有し、この取付面部92には、左右方向に長手方向を有する略板状の一側伝達体としての左側伝達体95がねじ96にて固着されている。
【００４２】
この左側伝達体95の右端部97は、前記第１の扉体42のベルト体70の一側である前側の位置に連結されている。また、この突出部91は、最大限開いた状態で作用する当接面98を有している。そして、この左側伝達体95にて、ベルト体70の一側である前側に、第２の扉体43が、下ランナー体82を介して、連結されている。
【００４３】
次いで、前記第３の扉体44は、前記第２の扉体43と左右対称であり、前記第２の扉体43と略同一の構造部分については同一符号を付してその説明を省略する。
【００４４】
この第３の扉体44の下端部には、左右側に位置して下ランナー体101，102が固着されている。左側に位置する下ランナー体101には、取付部83の水平部84に連続して突出部111が一体に形成されている。この突出部111は、上方に向って形成された略矩形状の取付面部112を有し、この取付面部112には、左右方向に長手方向を有する略板状の他側伝達体としての右側伝達体115がねじ116にて固着されている。
【００４５】
この右側伝達体115の左端部117は、前記第１の扉体42のベルト体70の一側の移動方向とは反対方向に移動する他側である後側の位置に連結されている。また、この突出部111は、最大限開いた状態で前記第２の扉体43の突出部91に設けた当接面98に当接する当接面118を有している。そして、この右側伝達体115にて、ベルト体70の他側である後側に、第３の扉体44が、下ランナー体101を介して、連結されている。
【００４６】
なお、扉装置41を閉じた状態では、左側伝達体95の右端部97および右側伝達体115の左端部117は、それぞれ左側プーリ66および右側プーリ68の近傍に位置している。
【００４７】
そして、前記左側プーリ66、右側プーリ68、ベルト体70、左側伝達体95、右側伝達体115などにて連動手段としてのベルト機構120が構成される。
【００４８】
次に、上記第１の関連技術の作用を説明する。
【００４９】
家具本体１内に、図示しない物品が収納された状態で、この家具本体１の開口部６が扉装置41で閉塞されている。すなわち、開口部６の中央が第１の扉体42で、開口部６の左右両側が第２の扉体43および第３の扉体44で閉塞されている。
【００５０】
そして、第２の扉体43および第３の扉体44が、ストッパー体27，27にて開口部６の閉塞位置に係脱自在に係止されている。
【００５１】
この開口部６が閉じた閉塞状態から、例えば、家具本体１の一側、例えば、図１上、左側に収納した収納物を取り出すために、この家具本体１の開口部６の左側を最大限、つまり、開口部６をほぼ左半分開く場合には、まず、例えば、第２の扉体43に右方向に移動させる力を加えると、第２の扉体43のストッパー体27による下ランナー体81の係止軸87の係止状態が解除されて、第２の扉体43が右方向に移動を開始する。
【００５２】
なお、第２の扉体43に右方向に移動させる力を加えた際、ベルト機構120を介して他方の第３の扉体44には左向きの力が働くが、この第３の扉体44に働く力の大きさは、第２の扉体43に加えた力が直接に第３の扉体44には作用するものでないため、この第２の扉体43に加えた力の大きさより小さく、ストッパー体27による下ランナー体102の係止軸87の係止状態は解除されない。したがって、第２の扉体43が右方向に移動を開始しても、第３の扉体44は閉塞位置に位置した状態のままである。
【００５３】
こうして、この第２の扉体43のストッパー体27による係止が解除された状態で、更に第２の扉体43に右方向に移動させる力を加えて、この第２の扉体43を開口部６を開く方向である右方向に移動させると、ベルト機構120の左側伝達体95が右方向に移動し、第１の扉体42の左右両側部にそれぞれ設けたプーリ66，68に掛け渡したベルト体70が回動しながら移動する。
【００５４】
なお、この第２の扉体43は、第１の扉体42の移動量とこのベルト体70の移動量の和の寸法移動する。
【００５５】
よって、このベルト体70の移動で、第１の扉体42がこの一方の第２の扉体43と同方向である右方向に下ランナー体82の当接面98が下ランナー体101の当接面118に当接するまで確実に連動移動するため、一つの作業で、図４に示す第１の扉体42に第２の扉体43および第３の扉体44がほぼ二重に重なり、家具本体１の開口部６の左側が開いた左側開口状態になる。
【００５６】
この連動移動の際、他方の第３の扉体44は、ベルト機構120から、第２の扉体43の移動方向である右方向とは異なる移動方向である左方向の力を受けるが、この第３の扉体44に働く摩擦力、ストッパー体27から受ける力等の右方向の力により、この他方の第３の扉体44は閉塞位置に位置した状態で移動しない。
【００５７】
そして、家具本体１内の収納物を取り出した後、この第１の扉体42に第２の扉体43および第３の扉体44がほぼ二重に重なった、開口部６の左側開口状態から、もとの開口部６が閉じた閉塞状態にする場合には、例えば、開口部６の開口位置、つまり、開口部６の左側の閉塞位置以外の位置に位置しストッパー体27による係止が解除された第２の扉体43に左方向に移動させる力を加え、第２の扉体43を開口部６を閉じる方向である左方向に移動させると、他方の第３の扉体44が閉塞位置に位置した状態で、ベルト機構120の左側伝達体95が左方向に移動し、第１の扉体42の左右両側部にそれぞれ設けたプーリ66，68に掛け渡したベルト体70が回動しながら移動する。
【００５８】
そして、このベルト体70の移動で、第１の扉体42がこの第２の扉体43と同方向である左方向に確実に連動移動するため、一つの作業で、第１の扉体42の左右両側に第２の扉体43および第３の扉体44が位置して、家具本体１の開口部６が閉じた閉塞状態になる。
【００５９】
一方、家具本体１の左側に収納した収納物を取り出すために、この家具本体１の開口部６の左側を開く場合に、第１の扉体42に右方向に移動させる力を加えて、第２の扉体43のストッパー体27による下ランナー体81の係止軸87の係止が解除された状態とした後、更に第１の扉体42に右方向に移動させる力を加えて、この第１の扉体42を開口部６を開く方向である右方向に移動させると、ベルト機構120の左側伝達体95が右方向に移動し、第１の扉体42の左右両側部にそれぞれ設けたプーリ66，68に掛け渡したベルト体70が回動しながら移動する。
【００６０】
よって、このベルト体70の移動で、係止状態が解除されている第２の扉体43が、この第１の扉体42と同方向である右方向に下ランナー体82の当接面98が下ランナー体101の当接面118に当接するまで確実に連動移動するため、一つの作業で、図４に示す第１の扉体42に第２の扉体43および第３の扉体44がほぼ二重に重なり、家具本体１の開口部６の左側が開いた左側開口状態になる。
【００６１】
この連動移動の際、他方の第３の扉体44は、ベルト機構120から、第２の扉体43の移動方向である右方向とは異なる移動方向である左方向の力を受けるが、この第３の扉体44に働く摩擦力、ストッパー体27から受ける力等の右方向の力により、この他方の第３の扉体44は閉塞位置に位置した状態で移動しない。
【００６２】
そして、家具本体１内の収納物を取り出した後、この第１の扉体42に第２および第３の扉体43，44がほぼ二重に重なった、開口部６の左側開口状態から、もとの開口部６が閉じた閉塞状態にする場合に、第１の扉体42に左方向に移動させる力を加え、この第１の扉体42を開口部６を閉じる方向である左方向に移動させると、他方の第３の扉体44が閉塞位置に位置した状態で、ベルト機構120の左側伝達体95が左方向に移動し、第１の扉体42の左右両側部にそれぞれ設けたプーリ66，68に掛け渡したベルト体70が回動しながら移動する。
【００６３】
そして、このベルト体70の移動で、係止状態が解除されている第２の扉体43がこの第１の扉体42と同方向である左方向に連動移動するため、一つの作業で第１の扉体42の左右両側に第２の扉体43および第３の扉体44が位置して、家具本体１の開口部６が閉じた閉塞状態になる。
【００６４】
なお、家具本体１の開口部６の左側を開閉する場合、第２の扉体43に右方向に移動させる力を加えて開口部６の左側開口状態とした後、第１の扉体42に左方向に移動させる力を加えて開口部６の閉塞状態とすることもでき、または、第１の扉体42に右方向に移動させる力を加えて開口部６の左側開口状態とした後、第２の扉体43に左方向に移動させる力を加えて開口部６の閉塞状態とすることもできる。
【００６５】
また、例えば、家具本体１の開口部６の他側、例えば、図１上、右側を最大限に開閉する場合でも、第１の扉体42、第２の扉体43および第３の扉体44は、ベルト機構120にて上記家具本体１の開口部６の左側を最大限に開閉する場合と同様に連動移動する。
【００６６】
一方、例えば、図４に示す第１の扉体42に第２の扉体43および第３の扉体44がほぼ二重に重なり、家具本体１の開口部６の左側が開いた左側開口状態から、家具本体１の他側である右側に収納した収納物も取り出すために、この家具本体１の開口部６の右側も最大限に開く場合には、開口部６の閉塞位置に位置する第３の扉体44に左方向に移動させる力を加える。
【００６７】
そして、この第３の扉体44のストッパー体27による係止が解除された状態とした後、更にこの第３の扉体44に左方向に移動させる力を加えて、この第３の扉体44を開口部６を開く方向である左方向に移動させると、ベルト機構120の左側伝達体95および右側伝達体115が互いに異なる方向に移動できない状態にあり、ベルト体70が回動せず、第１の扉体42に第２の扉体43および第３の扉体44が重なった状態で、第２の扉体43と第１の扉体42とが、この第３の扉体44と同方向である左方向に連動移動する。この連動移動の結果、一つの作業で家具本体１の開口部６の他側の右側が開口した右側開口状態になる。
【００６８】
なお、家具本体１の開口部６の右側が開いた右側開口状態から、家具本体１の開口部６の左側が開いた左側開口状態にする場合も同様である。
【００６９】
このように、上記第１の関連技術では、ベルト機構120を備えるため、第２の扉体43および第３の扉体44が開口部６の閉塞位置に係脱自在に係止されている場合において、それぞれ一つの作業で家具本体１の開口部６の左右いずれか一側を確実に最大限に開閉でき、煩雑な開閉作業を伴わない。また、家具本体１の開口部６の両側を順に確実に最大限に開口する際においても、三つの扉体が個々に移動するものに比して、煩雑な開閉作業を伴わない。
【００７０】
さらに、ストッパー体27が閉塞位置に位置する第２の扉体43および第３の扉体44を係止するため、第２の扉体43および第３の扉体44のいずれか一方の扉体の左右いずれか一方方向の移動、または、第１の扉体42の左右いずれか一方方向の移動により、家具本体１の開口部６を開閉する際に、他方の第３の扉体44または第２の扉体43を確実に閉塞位置に保持できる。
【００７１】
また、家具本体１の開口部６の開口時に、第１の扉体42に第２の扉体43および第３の扉体44をほぼ二重に重なる状態にでき、扉装置41全体の前後方向の寸法を小さくでき、体裁もよくできる、また、第２の扉体43および第３の扉体44は第１の扉体42の移動軌跡に沿った前側を移動するため、第２の扉体43および第３の扉体44のいずれか一方の扉体に開閉方向の力を加えて行う開閉作業が容易にできる。さらに、第１の扉体42、第２の扉体43および第３の扉体44の前面部或いは後面部の所定位置、例えば、第１の扉体42については前面部のほぼ中央位置や後面部の左右両側位置、第２の扉体43および第３の扉体44については前面部の左右両側位置に、凹状の取手等の操作部を設けることにより、これら扉体に開閉方向の力を加えて行う開閉作業を更に容易にできる。
【００７２】
さらに、左側プーリ66と右側プーリ68とには内周面に凹凸部を形成したタイミングベルトが掛け渡されているため、滑りがなく第２の扉体43と第３の扉体44とを確実にそれぞれ反対方向に、あまり音を出さずに静かにスムーズに移動させることができる。
【００７３】
また、第２の扉43および第３の扉体44が第１の扉体42と二重に重なった状態において、第２の扉体43の右端部と第３の扉体44の左端部との間には一定幅の空間ができるため、第２の扉体43と第３の扉体44とで手等を挟む危険性もなく安全である。また、第１の扉体42に取手等の操作部を必ずしも設ける必要がなく、製造コストを低くでき、外観もよくなる。
【００７４】
さらに、家具本体１の開口部６の開閉の際における、これら三つの扉体の動きが複雑で、使用者の興味を増大させることができる。
【００７５】
なお、上記第１の関連技術においては、係止手段は、図５に示すストッパー体27として説明したが、このストッパー体27には限定させず、例えば、図６に示す他の構成の係止手段としてのストッパー体121でもよい。
【００７６】
このストッパー体121は、合成樹脂等にて略直方体状に形成した取付部122を有し、この取付部122のほぼ中央部には上下面に貫通した取付ねじ用孔29が形成されている。また、この取付部122の前後面には、下レール体16の前側および中央の仕切片18，19に係合する係合面123，123が形成されている。さらに、この取付部122の一側面には、前側に位置して弾性変形部124が突設され、この弾性変形部124の後面には、前側から後側に向って傾斜した案内面125が形成されている。また、この案内面125の後端部にこの案内面125の後端部より前方に位置するように略半円弧状の係止凹部126が形成されている。さらに、この弾性変形部124の前面には、この弾性変形部124が弾性変形しやすいように略三角形状の凹部127が形成されている。そして、この弾性変形部124に向って、下ランナー体81，102に設けた係止軸87を移動させると、この係止軸87が案内面125に案内されて、この弾性変形部124が一旦弾性変形することでこの係止軸87が案内面125の後端部をこえて、係止凹部126に保持された状態で係止される。このストッパー体121は、前記ストッパー体27に比して形状が簡単なため製造が容易となる。
【００７７】
次に、本発明の扉装置の第２の関連技術の構成を図７（ａ）、図７（ｂ）および図７（ｃ）を参照して説明する。なお、上記第１の関連技術と略同一部分については同一符号を付してその説明を省略する。
【００７８】
図７（ａ）、図７（ｂ）および図７（ｃ）において、131は扉装置であって、この扉装置131は、上下方向に縦長の長方形状で板状の第１の扉体132を有している。この第１の扉体132は、図７（ａ）、図７（ｂ）および図７（ｃ）には図示しないが図２に示す第２のガイドレール26に移動自在に配設され、家具本体１の開口部６の閉塞時には、この開口部６のほぼ中央を閉塞する。
【００７９】
また、この扉装置131は、第１の扉体132の左右方向の長さに対しほぼ２分の１の左右方向の長さの上下方向に縦長の長方形状で板状の第２の扉体133および第３の扉体134を有している。
【００８０】
この第２の扉体133は、図７（ａ）、図７（ｂ）および図７（ｃ）には図示しないが図２に示す第１のガイドレール25に移動自在に配設され、家具本体１の開口部６の閉塞時には、例えば、前記第１の扉体132の左側、つまり、家具本体１の開口部６の左側を閉塞する。
【００８１】
一方、第３の扉体134は、図７（ａ）、図７（ｂ）および図７（ｃ）には図示しないが図２に示す第１のガイドレール25に移動自在に配設され、家具本体１の開口部６の閉塞時には、例えば、前記第１の扉体132の右側、つまり、家具本体１の開口部６の右側を閉塞する。
【００８２】
そして、第２の扉体133および第３の扉体134は、第１の扉体132に対し後方に位置し、この第１の扉体132の移動軌跡に沿った後側を移動する。
【００８３】
なお、第１の扉体132に固着した下ランナーユニット50においては、図７（ｃ）に示すように、前記第１の関連技術とは異なり、左側プーリシャフト65、右側プーリシャフト67等は上方に向って設けられている。
【００８４】
また、第２の扉体133に固着した右側に位置する下ランナー体82の突出部91には、図７（ｃ）に示すように、前記第１の関連技術とは若干形状の異なる左側伝達体95が固着されている。すなわち、この左側伝達体95の左端部には上方に向って突出して取付部136が形成され、この取付部136が下ランナー体82の突出部91の取付面部92に、ねじ96にて螺着固定されている。なお、左側伝達体95の右端部97はベルト体70の一側である前側の位置に連結されている。
【００８５】
同様に、第３の扉体134に固着した左側に位置する下ランナー体101の突出部111には、図７（ｃ）に示すように、前記第１の関連技術とは若干形状の異なる右側伝達体115が固着されている。すなわち、この右側伝達体115の右端部には上方に向って突出して取付部137が形成され、この取付部137が下ランナー体101の突出部111の取付面部112にねじ116にて螺着固定されている。なお、右側伝達体115の左端部117はベルト体70の一側の移動方向とは反対方向に移動する他側である後側に連結されている。
【００８６】
次に、上記第２の関連技術の作用を説明する。
【００８７】
家具本体１内に、図示しない物品が収納された状態で、この家具本体１の開口部６が扉装置131で閉塞されている。すなわち、開口部６の中央が第１の扉体132で、開口部６の左右両側が第２の扉体133および第３の扉体134で閉塞されている。そして、第２の扉体133および第３の扉体134が、ストッパー体27，27或いはストッパー体121，121にて、開口部６の閉塞位置に係脱自在に係止されている。
【００８８】
この開口部６が閉じた閉塞状態から、例えば、家具本体１の一側、例えば、図７（ａ）上、左側に収納した収納物を取り出すために、この家具本体１の開口部６の左側を最大限に開く場合には、まず、例えば、第１の扉体132に右方向に移動させる力を加えると、第２の扉体133のストッパー体27，121による下ランナー体81の係止軸87の係止状態が解除されて、第２の扉体133が右方向に移動を開始する。
【００８９】
なお、第１の扉体132に右方向に移動させる力を加えた際、ベルト機構120を介して他方の第３の扉体134には左向きの力が働くが、この第３の扉体134に働く力の大きさは、第２の扉体133に働く力の大きさより小さく、第３の扉体134のストッパー体27，121による下ランナー体102の係止軸87の係止状態は解除されない。したがって、第２の扉体133が右方向に移動を開始しても、第３の扉体134は閉塞位置に位置した状態のままである。
【００９０】
こうして、この第２の扉体133のストッパー体27，121による係止が解除された状態で、更に第１の扉体132に右方向に移動させる力を加えて、この第１の扉体132を開口部６が開く方向である右方向に移動させると、ベルト機構120の左側伝達体95が右方向に移動し、第１の扉体42の左右両側部にそれぞれ設けたプーリ66，68に掛け渡したベルト体70が回動しながら移動する。
【００９１】
なお、この第２の扉体133は、第１の扉体132の移動量とこのベルト体70の移動量の和の寸法移動する。
【００９２】
よって、このベルト体70の移動で、係止が解除されている第２の扉体133がこの第１の扉体132と同方向である右方向に下ランナー体82の当接面98が下ランナー体101の当接面118に当接するまで連動移動するため、一つの作業で、図７（ｂ）に示す、第１の扉体132に第２の扉体133および第３の扉体134がほぼ二重に重なり、家具本体１の開口部６の左側が開いた左側開口状態になる。
【００９３】
この連動移動の際、他方の第３の扉体134は、ベルト機構120から、第２の扉体133の移動方向である右方向とは異なる移動方向である左方向の力を受けるが、この第３の扉体134に働く摩擦力、ストッパー体27，121から受ける力等の一方方向の力により、この他方の第３の扉体134は閉塞位置に位置した状態でほとんど移動しない。
【００９４】
そして、家具本体１内の収納物を取り出した後、この第１の扉体132に第２の扉体133および第３の扉体134がほぼ二重に重なった、開口部６の左側開口状態から、もとの開口部６が閉じた閉塞状態にする場合には、例えば、第１の扉体132に左方向に移動させる力を加え、第１の扉体132を開口部６を閉じる方向である左方向に移動させると、他方の第３の扉体134がほぼ閉塞位置に位置した状態で、ベルト機構120の左側伝達体95が左方向に移動し、第１の扉体142の左右両側部にそれぞれ設けたプーリ66，68に掛け渡したベルト体70が回動しながら移動する。
【００９５】
そして、このベルト体70の移動で、開口部６の開口位置に位置し係止状態が解除されている第２の扉体133が、この第１の扉体132と同方向である左方向に確実に連動移動するため、一つの作業で、第１の扉体132の左右両側に第２の扉体133および第３の扉体134が位置して、図７（ａ）に示す、家具本体１の開口部６が閉じた閉塞状態になる。
【００９６】
なお、家具本体１の開口部６の左側を開閉に際して、第２の扉体133に右方向に移動させる力を加えて開口部６の左側開口状態にすることもでき、或いは、第２の扉体133に左方向に移動させる力を加えて開口部６の閉塞状態にすることもできる。
【００９７】
また、例えば、家具本体１の他側、例えば、図７（ａ）上、右側に収納した収納物を取り出すために、この家具本体１の開口部６の右側を最大限、つまり、開口部６をほぼ右半分開く場合でも、第１の扉体132、第２の扉体133および第３の扉体134は、ベルト機構120にて上記家具本体１の開口部６の左側を最大限に開閉する場合と同様の動作を行う。
【００９８】
一方、例えば、図７（ｂ）に示す第１の扉体132に第２の扉体133および第３の扉体134がほぼ二重に重なり、家具本体１の開口部６の左側が開いた左側開口状態から、家具本体１の他側である右側に収納した収納物も取り出すために、この家具本体１の開口部６の右側も最大限に開く場合には、開口部６の閉塞位置に位置する第３の扉体134に左方向に移動させる力を加える。なお、図７（ｂ）に示すように、開口部６の左側開口状態においては、第３の扉体134の右端部の前面部は、第１の扉体132の後方位置になく、扉装置131の前方からこの第３の扉体134を操作、つまり、力を加えることができるようになっている。
【００９９】
このように、上記第２の関連技術においても、上記第１の関連技術と同様の作用効果を生じる。
【０１００】
また、第２の扉体133および第３の扉体134が第１の扉体132に対し後方に位置して、第２の扉体133および第３の扉体134が第１の扉体132の移動軌跡に沿った後側を移動するため、第１の扉体132に力を加えて行う開閉作業が容易となる。さらに、第１の扉体132、第２の扉体133および第３の扉体134の前面部或いは後面部の所定位置、例えば、第１の扉体132については前面部の左右両側位置、第２の扉体133および第３の扉体134については前面部や後面部の側板４，５側位置に、凹状の取手等の操作部を設けることにより、これら扉体に開閉方向の力を加えて行う開閉作業を更に容易にできる。また一方で、第２の扉体133および第３の扉体134に取手等の操作部を必ずしも設ける必要がなく、製造コストを低くでき、外観もよくなる。
【０１０１】
次に、本発明の扉装置の第３の関連技術について説明する。なお、上記第１の関連技術と略同一部分については同一符号を付してその説明を省略する。
【０１０２】
図示しない扉装置は、上記第１の関連技術および第２の関連技術として説明した扉装置41，131において、係止手段としてのストッパー体27，121を有しない構造とする。
【０１０３】
その結果、第２の扉体43，133および第３の扉体44，134が、家具本体１の開口部６の閉塞位置に係止手段にて係止されていないため、家具本体１の開口部６が閉じた閉塞状態から、第２の扉体43，133および第３の扉体44，134のいずれか一方の扉体を、開口部６を開く方向に移動させると、ベルト機構120の左側伝達体95および右側伝達体115の互いに異なる方向への移動により、プーリ66，68に掛け渡されたベルト体70が移動する。
【０１０４】
そして、このベルト体70の移動で、他方の第３の扉体44，134または第２の扉体43，133が開口部６を開く方向に確実に連動移動し、第１の扉体42，132に第２の扉体43，133および第３の扉体44，134が重なり、家具本体１の開口部６の両側が開いた両側開口状態になる。
【０１０５】
よって、家具本体１の両側に収納した収納物を取り出すことができる。また、この状態で、家具本体１の両側に収納した収納物を確認することができ、この確認後、第１の扉体42，132、第２の扉体43，133および第３の扉体44，134をまとめて左右いずれか一方の方向に移動させ、その後、収納物を取り出すこともできる。
【０１０６】
また、開口部６の両側開口状態から、第２の扉体43，133および第３の扉体44，134のいずれか一方の扉体を開口部６を閉じる方向に移動させると、ベルト機構120の左側伝達体95および右側伝達体115の移動により、プーリ66，68に掛け渡されたベルト体70が移動して、このベルト体70の移動により、他方の第３の扉体44，134または第２の扉体43，133が開口部６を閉じる方向に確実に連動移動し、第１の扉体42，132の左右両側に第２の扉体43，133および第３の扉体44，134が位置して、家具本体１の開口部６が閉じた閉塞状態になる。
【０１０７】
このように、上記第３の関連技術によれば、一つの作業で家具本体１の開口部６の両側が確実に最大限に開閉でき、三つの扉体が個々に移動するものに比して、煩雑な開閉作業を伴わない。
【０１０８】
なお、家具本体１の開口部６を開閉する際に、第２の扉体43，133または第３の扉体44，134に働く力を、第１の扉体42，132との関係で調整することにより、開口部６が開いた両側開口状態における、両側の開口量を変えることができる。
【０１０９】
次に、本発明の扉装置の第４の関連技術の構成を図８ないし図１０を参照して説明する。なお、上記第１の関連技術と略同一部分については同一符号を付してその説明を省略する。
【０１１０】
図８ないし図１０において、141は扉装置であり、この扉装置141は下部に前記ベルト機構120を備えるとともに、上部に後述の連動手段としてのレージトング機構171を備える。また、この扉装置141は、家具本体１の第１の下ガイドレール21内に固着され、開口部６の閉塞時に、第２の扉体143および第３の扉体144を閉塞位置に係脱自在に係止する図５に示すストッパー体27、或いは、図６に示すストッパー体121を備える。
【０１１１】
そして、第１の扉体142の上部のほぼ中央に位置して、金属製等のリンク支持体150が固着されている。このリンク支持体150は略矩形状の取付部151を有し、この取付部151の上端部から後方に向って細長板状の支持部152が連続して形成されている。そして、この支持部152の後方の一端部は略円弧状に形成され、その円のほぼ中心位置には支軸取付孔153が形成されている。
【０１１２】
また、第２の扉体143の上部右側に固着した上外ランナー体156の取付部157の水平部には、この水平部の全面とほぼ接触した状態で左側リンク取付体158がねじ159にて固着されている。そして、この左側リンク取付体158の後方の一端部は、略円弧状に形成されその円のほぼ中心位置には左側支軸取付孔160が形成されている。
【０１１３】
さらに、第３の扉体144の上部左側に固着した上外ランナー体161の取付部162の水平部163には、この水平部163の全面とほぼ接触した状態で右側リンク取付体164がねじ165にて固着されている。そして、この右側リンク取付体164の後方の一端部は、略円弧状に形成されその円のほぼ中心位置には右側支軸取付孔166が形成されている。
【０１１４】
一方、図８ないし図１０において、171は連動手段としてのレージトング機構であり、このレージトング機構171は、複数のクロスリンク体172にて構成されている。
【０１１５】
そして、各クロスリンク体172は、同じ長さの細長板状の二つのリンク片173，173にて構成され、各リンク片173は中央部である交差部に形成した連結用孔174に挿通されている連結軸175にて回動自在に連結されている。
【０１１６】
また、このクロスリンク体172を構成する各リンク片173の両端部に形成した連結用孔174に挿通されている連結軸175にて隣接するクロスリンク体172が順次回動自在に連結されている。
【０１１７】
さらに、このレージトング機構171の左端に位置するクロスリンク体172aを構成するリンク片173aは、他のクロスリンク体172を構成するリンク片173の長さのほぼ２分の１の長さであり、両端部にのみ連結用孔174a，174aが形成されている。このため、左側である一端部が、二つのリンク片173a，173aが交差する交差部となっている。また、これら連結用孔174a，174aのうち、一端部に形成した一方の連結用孔174aには、他の連結用孔174a  に貫通した連結軸175より長い長さの支軸175aが貫通されている。そして、この支軸175aの上端部は、前記第２の扉体143に取り付けた左側リンク取付体158の左側支軸取付孔160に挿通され、この左側リンク取付体158に固着されている。また、他方の連結用孔174aには、他のクロスリンク体172を回動自在に連結する連結軸175が挿通されて、一組のリンク片173a，173aが回動自在に連結されている。
【０１１８】
また、同様に、このレージトング機構171の右端に位置するクロスリンク体172bを構成するリンク片173bは、他のクロスリンク体172を構成するリンク片173の長さのほぼ２分の１の長さであり、両端部にのみ連結用孔174b，174bが形成されている。このため、右側である一端部が、二つのリンク片173b，173bが交差する交差部となっている。これら連結用孔174b，174bのうち、一端部に形成した一方の連結用孔174bには、他の連結用孔174に貫通した連結軸175より長い長さの支軸175bが挿通されている。この支軸175bの上端部は、前記第３の扉体144に取り付けた右側リンク取付体164の右側支軸取付孔165に挿通され、この右側リンク取付体164に固着されている。また、他方の連結用孔174bには、他のクロスリンク体172を回動自在に連結する連結軸175が挿通されて、一組のリンク片173b，173bが回動自在に連結されている。
【０１１９】
さらに、このレージトング機構171の中央に位置するクロスリンク体172を構成するリンク片173の交差部に形成した連結用孔174には、他の連結用孔174に貫通した連結軸175より長い長さの支軸175cが挿通されている。そして、この支軸175cの下端部は、前記第１の扉体142に取り付けたリンク支持体150の支持部152に形成した支軸取付孔153に挿通され、このリンク支持体150に固着されている。また、両端部の連結用孔174cには、他のクロスリンク体172を回動自在に連結する連結軸175が挿通されている。
【０１２０】
従って、レージトング機構171の中央部が前記第１の扉体142に連結され、レージトング機構171の一端部である左端部が前記第２の扉体143に連結され、レージトング機構171の他端部である右端部が前記第３の扉体144に連結された構成となり、このレージトング機構171の中央部を中心として両側が左右方向に向って互いに異なる方向に伸縮する。
【０１２１】
なお、このレージトング機構171が伸びた状態となる各クロスリンク体172のリンク片173が所定の角度をもってクロスして位置する状態で、前記家具本体１の開口部６が閉塞され、また、このレージトング機構171が縮んだ状態となる各クロスリンク体172のリンク片173がほぼ並んで位置する状態で、前記家具本体１の開口部６が開口する。
【０１２２】
そして、この扉装置141の備えたベルト機構120は、上記扉装置41の場合と同様に作用し、この扉装置141の備えたレージトング機構171は次のように作用する。
【０１２３】
第２の扉体143および第３の扉体144が、ストッパー体27，121にて、開口部６の閉塞位置に係止され、家具本体１の開口部６が閉じた閉塞状態から、第２の扉体143および第３の扉体144のいずれか一方の扉体のストッパー体27，121による係止が解除された状態で、この第２の扉体143および第３の扉体144のいずれか一方の扉体を開口部６を開く方向に移動させると、複数のクロスリンク体172の二つのリンク片173，173が交差部を中心としてそれぞれ異なる方向に回動する。
【０１２４】
そして、この各リンク片173の回動により、レージトング機構171が左右方向に向って縮み、第１の扉体142がこの第２の扉体143および第３の扉体144のいずれか一方の扉体と同方向に機械的に効率よく確実に連動移動する。
【０１２５】
この連動移動の結果、一つの作業で、第１の扉体142に第２の扉体143および第３の扉体144が重なり、家具本体１の開口部６の左右いずれか一側が開いた一側開口状態になる。
【０１２６】
或いは、開口部６の閉塞状態から、第２の扉体143および第３の扉体144のいずれか一方の扉体の係止が解除された状態で、第１の扉体142を開口部６を開く方向に移動させると、複数のクロスリンク体172の二つのリンク片173，173が交差部を中心としてそれぞれ異なる方向に回動する。
【０１２７】
そして、この各リンク片173の回動によりレージトング機構171が左右方向に向って縮み、第２の扉体143および第３の扉体144のいずれか一方の扉体が、この第１の扉体142と同方向に機械的に効率よく確実に連動移動する。
【０１２８】
この連動移動の結果、一つの作業で、第１の扉体142に第２の扉体143および第３の扉体144が重なり、家具本体１の開口部６の左右いずれか一側が開いた一側開口状態になる。
【０１２９】
一方、この一側開口状態から、開口部６の開口位置に位置し、ストッパー体27，121による係止が解除された第２の扉体143および第３の扉体144のいずれか一方の扉体を開口部６を閉じる方向に移動させると、複数のクロスリンク体172の二つのリンク片173，173が交差部を中心としてそれぞれ異なる方向に回動する。
【０１３０】
そして、この各リンク片173の回動により、レージトング機構171が左右方向に向って伸び、第１の扉体142がこの開口部６の開口位置に位置し係止が解除された第２の扉体143および第３の扉体144のいずれか一方の扉体と同方向に機械的に効率よく確実に連動移動する。
【０１３１】
この連動移動の結果、一つの作業で、第１の扉体142の左右両側に第２の扉体143および第３の扉体144が位置して、家具本体１の開口部６が閉じた閉塞状態になる。
【０１３２】
或いは、開口部６の一側開口状態から、第１の扉体142を開口部６を閉じる方向に移動させると、複数のクロスリンク体172の二つのリンク片173，173が交差部を中心としてそれぞれ異なる方向に回動する。
【０１３３】
そして、この各リンク片173の回動により、レージトング機構171が左右方向に向って伸び、開口部６の開口位置に位置し係止が解除された第２の扉体143および第３の扉体144のいずれか一方の扉体がこの第１の扉体142と同方向に機械的に効率よく確実に連動移動する。
【０１３４】
この連動移動の結果、一つの作業で、第１の扉体142の左右両側に第２の扉体143および第３の扉体144が位置して、家具本体１の開口部６が閉じた閉塞状態になる。
【０１３５】
一方、家具本体１の開口部６の左右いずれか一側が開口した一側開口状態から、開口部６の閉塞位置に位置する第３の扉体144または第２の扉体143のストッパー体27，121による係止が解除された状態で、この開口部６の閉塞位置に位置する第３の扉体144または第２の扉体143を開口部６を開く方向に移動させると、複数のクロスリンク体172の二つのリンク片173，173が交差部を中心としてそれぞれ異なる方向に回動できない状態にあり、各リンク片173は回動せず、レージトング機構171が左右方向に向って伸縮しないため、第１の扉体142に第２の扉体143および第３の扉体144が重なった状態で、第２の扉体143または第３の扉体144と第１の扉体142とが同方向に確実に連動移動する。
【０１３６】
この連動移動の結果、一つの作業で、家具本体１の開口部６の他側が開口した他側開口状態になる。
【０１３７】
このように、上記第４の関連技術では、ベルト機構120およびレージトング機構171を備えるため、第２の扉体143および第３の扉体144が開口部６の閉塞位置に係脱自在に係止されている場合において、それぞれ一つの作業で家具本体１の開口部６の左右いずれか一側を機械的に効率よく、更に確実に最大限に開閉でき、煩雑な開閉作業を伴わない。
【０１３８】
また、家具本体１の開口部６の両側を順に機械的に効率よく、更に確実に最大限に開口する際においても、三つの扉体が個々に移動するものに比して、煩雑な開閉作業を伴わない。また、上記第１の関連技術と同様の効果も奏する。
【０１３９】
なお、上記第１の関連技術ないし第４の関連技術においては、連動手段はベルト機構120およびレージトング機構171の少なくとも一方を備えた構成として説明したが、これらベルト機構120およびレージトング機構171の他に、例えば、図１１に示すように、第２の扉体43および第３の扉体44に、互いに対向するラック178，179を設け、かつ、第１の扉体42にこれら両ラック178，179に噛み合うピニオン180を設けた構成とすることもできる。この場合には、三つの扉体が個々に移動するものに比して、煩雑な開閉作業を伴わない効果に加え、ベルト機構120、レージトング機構171に比して、部品点数を少なくでき、製造コストを低減できる。
【０１４０】
なお、ベルト機構120およびレージトング機構171に、このラック178，179およびピニオン180による連動手段を含め、これら３種の連動手段を上記第１の関連技術ないし第４の関連技術において、自由に組み合わせることもできる。
【０１４１】
次に、本発明の扉装置の第５の関連技術の構成を図１２（ａ）および図１２（ｂ）を参照して説明する。なお、上記第１の関連技術と略同一部分については同一符号を付してその説明を省略する。
【０１４２】
図１２（ａ）において、181は扉装置であり、この扉装置181は、下部にベルト機構120を備えた上下方向に縦長の長方形状で板状の第１の扉体182を有している。
【０１４３】
この第１の扉体182は、図１２（ａ）および図１２（ｂ）には図示しないが、図３に示す上端部の左右側に固着された上ランナー体45，45、下端部の左右側に設けられた下ガイドローラ58等を介して第２のガイドレール26に移動自在に配設されている。そして、この第１の扉体182は、家具本体１の開口部６の閉塞時には、この開口部６のほぼ中央を閉塞する。
【０１４４】
また、前記扉装置181は、前記第１の扉体182の左右方向の長さとほぼ等しい左右方向の長さを有し、上下方向に縦長の長方形状で板状の第２の扉体183を有している。
【０１４５】
この第２の扉体183は、図１２（ａ）および図１２（ｂ）には図示しないが、図３に示す上端部の左右側に固着された上外ランナー体75，75、下端部の左右側に設けられた下外ガイドローラ88，88等を介して、第３のガイドレール186に移動自在に配設されている。
【０１４６】
なお、この第３のガイドレール186は、第３の下ガイドレール187と後述の図１３に示す第３の上ガイドレール188とで構成される。この第３の下ガイドレール187は、取付板17と仕切片20とこの仕切片20の後方に形成した仕切片189とにて形成されている。また、図１３に示す第３の上ガイドレール188は、上レール体10の上面部に、第２の上ガイドレール13の後側に位置して一体に凹溝状に形成されている。
【０１４７】
そして、この第２の扉体183は、家具本体１の開口部６の閉塞時には、この開口部６のほぼ左側を閉塞する。また、この第２の扉体183は、第１の扉体182の移動軌跡に沿った前側を移動するため、開口部６の開口時には、図１２（ｂ）に示すように、この第２の扉体183は第１の扉体182のほぼ前方に位置する。なお、上記第１の関連技術とは異なり、第２の扉体43の下ランナー体82と、第３の扉体44の下ランナー体101とは、上下方向の高さ位置が異なり、開口部６の閉塞の際に当接する構成とはなっていない。
【０１４８】
さらに、この扉装置181は、前記第１の扉体182の左右方向の長さとほぼ等しい左右方向の長さを有し、上下方向に縦長の長方形状で板状の第３の扉体184を有している。
【０１４９】
この第３の扉体184は、図１２（ａ）および図１２（ｂ）には図示しないが、図３に示す上端部の左右側に固着された上外ランナー体75，75、下端部の左右側に設けられた下外ガイドローラ88，88等を介して、第１のガイドレール25に移動自在に配設されている。そして、この第３の扉体184は、開口部６の閉塞時には、この開口部６のほぼ右側を閉塞する。また、この第３の扉体184は、第１の扉体182の移動軌跡に沿った後側を移動するため、開口部６の開口時には、図１２（ｂ）に示すように、この第３の扉体184は第１の扉体182のほぼ後方に位置する。
【０１５０】
なお、第２の扉体183の左下端部に固着した下ランナー体81および第３の扉体184の右下端部に固着した下ランナー体102には、必要に応じて係止軸87を設ける。また、開口部６の閉塞時に、この係止軸87を保持した状態で係止して、第２の扉体183および第３の扉体184を閉塞位置に係脱自在に係止するストッパー体27、或いは、ストッパ−体121を、必要に応じて、第１のガイドレール25、第２のガイドレール26または第３のガイドレール186内の所定位置に設ける。
【０１５１】
そして、この扉装置181は、ベルト機構120を備えるため、第１の扉体182、第２の扉体183および第３の扉体184のいずれか一つの扉体に開閉方向の力を加えると、このベルト機構120にて、第２の扉体183と第３の扉体184とに互いに異なる移動方向の力が作用し、少なくとも一つの他の扉体が連動移動する。
【０１５２】
よって、この連動移動の結果、第２の扉体183および第３の扉体184が、ストッパー体27、或いは、ストッパー体121で開口部６の閉塞位置に係止されていない場合には、例えば、それぞれ一つの作業で家具本体１の開口部６の両側を確実に最大限に開閉でき、また、第２の扉体183および第３の扉体184が、例えば、ストッパー体27、或いは、ストッパー体121で開口部６の閉塞位置に係脱自在に係止されている場合には、例えば、それぞれ一つの作業で家具本体１の開口部６の左右いずれか一側を確実に最大限に開閉でき煩雑な開閉作業を伴わず、また、開口部６の両側を順に確実に最大限に開口する際においても、三つの扉体が個々に移動するものに比して、煩雑な開閉作業を伴わない。
【０１５３】
また、図１２（ｂ）に示すように、開口部６の開口時に、第１の扉体182に第２の扉体183および第３の扉体184をほぼ三重に重なる状態にでき、２枚からなる扉装置に比して最大の開口量を増やすことができる。
【０１５４】
さらに、例えば、第３の扉体184の後面の左端部であって、所定の高さ位置、つまり使用者が操作し易い高さ位置に、例えば凹状の取手等の操作部190が形成されている場合には、図１２（ｂ）に示すように、開口部６の左側が開いた左側開口状態から、一つの作業で開口部６の右側が開いた右側開口状態にする際に、この操作部188にて、開口部６の閉塞位置に位置する第３の扉体184に容易に左向きの力を加えることができる。よって、より簡単な一つの作業で開口部６の右側が開いた右側開口状態にできる。
【０１５５】
なお、上記第５の関連技術においては、第２の扉体183は、第１の扉体182の移動軌跡に沿った前側を移動し、かつ、第３の扉体184は、第１の扉体182の移動軌跡に沿った後側を移動する構成として説明したが、第２の扉体183が、第１の扉体182の移動軌跡に沿った後側を移動し、かつ、第３の扉体184が、第１の扉体182の移動軌跡に沿った前側を移動する構成でもよい。なお、この場合には、例えば、第２の扉体183の後面の右端部であって、所定の高さ位置に、例えば凹状の取手等の操作部を形成すると、開口部６の両側を順により確実に最大限に開口できる。
【０１５６】
次に、本発明の扉装置の第６の関連技術の構成を図１３ないし図１５を参照して説明する。なお、上記第１の関連技術ないし第５の関連技術と略同一部分については、適宜同一符号を付してその説明を省略する。
【０１５７】
図１３ないし図１５において、201は扉装置であり、この扉装置201は、上下方向に縦長の長方形状で板状の第１の扉体202を有している。この第１の扉体202は、家具本体１の開口部６の閉塞時には、図１３に示すように、この開口部６のほぼ中央を閉塞する。
【０１５８】
そして、この第１の扉体202の上端部には、左右側に位置して上ランナー体45aがそれぞれ図示しないねじにて固着されている。そして、この上ランナー体45aは、例えば金属製の断面略コ字状の取付部46aを有し、この取付部46aの後側の垂直部の前面にはローラ部48が取り付けられている。このローラ部48は回転自在な上ガイドローラ49を有し、このローラ部48の下面から突出した回転自在の上ガイドローラ49の一部が、第２の上ガイドレール13上に移動自在に係合している。
【０１５９】
一方、この第１の扉体202の下端部には、左右側に位置して第１の下ランナー体211が固着されている。そして、この第１の下ランナー体211は、金属製の略断面Ｌ字状の取付部213を有し、この取付部213の水平部214の後端のほぼ中央部には、略円筒状の中空軸215が立設されている。この中空軸215内には、上下に移動可能にローラ軸216が挿通され、このローラ軸216の上端部には第１の下ガイドローラ218が回転自在に取り付けられている。なお、このローラ軸216の下端部には外周に突出した抜止め部219が一体に形成されている。
【０１６０】
そして、この第１の下ガイドローラ218は、ばね220にて取付部213の水平部214に対して上方に付勢され、前記第２の下ガイドレール22内に移動自在に位置している。
【０１６１】
なお、ローラ軸216が中空軸215に対して上下に移動可能であり、第１の下ガイドローラ218をばね220の付勢に反して下方に位置させて、第１の扉体202の取り付け、取り外しが行われる。
【０１６２】
また、扉装置201は、第１の扉体202の左右方向の長さとほぼ等しい左右方向の長さを有し、上下方向に縦長の長方形状で板状の第２の扉体203を有している。この第２の扉体203は、家具本体１の開口部６の閉塞時には、図１３に示すように、この開口部６のほぼ左側を閉塞する。
【０１６３】
そして、この第２の扉体203の上端部には、左右側に位置して上外ランナー体75a，156aがそれぞれ図示しないねじにて固着されている。そして、これら上外ランナー体75a，156aは、例えば金属製の断面略Ｌ字状の取付部76aを有し、この取付部76aの水平部の後面にはローラ部78が取り付けられている。このローラ部78は回転自在な上外ガイドローラ79を有し、このローラ部78の下面から突出した回転自在の上外ガイドローラ79の一部が、第１の上ガイドレール12上に移動自在に係合している。
【０１６４】
一方、この第２の扉体203の下端部には、左右側に位置して下ランナー体81a，82aが固着されている。そして、この下ランナー体81a，82aは、金属製の略断面Ｌ字状の取付部83aを有し、この取付部83aの水平部84aのほぼ中央部には、略円筒状の中空軸85が立設されている。この中空軸85内には、上下に移動可能にローラ軸86が挿通され、このローラ軸86の上端部には下外ガイドローラ88が回転自在に取り付けられている。
【０１６５】
そして、この下外ガイドローラ88は、ばね90にて取付部83aの水平部84bに対して上方に付勢され、前記第１の下ガイドレール21内に移動自在に位置している。
【０１６６】
また、扉装置201は、第１の扉体202の左右方向の長さとほぼ等しい左右方向の長さを有し、上下方向に縦長の長方形状で板状の第３の扉体204を有している。この第３の扉体204は、家具本体１の開口部６の閉塞時には、図１３に示すように、この開口部６のほぼ右側を閉塞する。
【０１６７】
そして、この第３の扉体204の上端部には、左右側に位置して上外ランナー体161b，75bがそれぞれ図示しないねじにて固着されている。そして、これら上外ランナー体161b，75bは、例えば金属製の断面略コ字状の取付部76bを有し、この取付部76bの前側の垂直部が第３の扉体204の後面の上端部に接触した状態で固着されており、この取付部76bの後側の垂直部の前面にはローラ部78が取り付けられている。このローラ部78は回転自在な上外ガイドローラ79を有し、このローラ部78の下面から突出した回転自在の上外ガイドローラ79の一部が、第３の上ガイドレール188上に移動自在に係合している。
【０１６８】
一方、この第３の扉体204の下端部には、左右側に位置して下ランナー体81b，82bが固着されている。そして、この下ランナー体81b，82bは、金属製の略断面Ｌ字状の取付部83bを有し、この取付部83bの水平部84bの後端のほぼ中央部には、略円筒状の中空軸85が立設されている。この中空軸85内には、上下に移動可能にローラ軸86が挿通され、このローラ軸86の上端部には下外ガイドローラ88が回転自在に取り付けられている。
【０１６９】
そして、この下外ガイドローラ88は、ばね90にて取付部83bの水平部84bに対して上方に付勢され、前記第３の下ガイドレール187内に移動自在に位置している。
【０１７０】
さらに、この扉装置201は、図１５に示すように、第１の扉体202、第２の扉体203および第３の扉体204の上部後面にレージトング機構171を備えている。
【０１７１】
このレージトング機構171は、第４の関連技術の扉装置141とは異なり、リンク支持体150、左側リンク取付体158、右側リンク取付体164の部材を用いることなく、第１の扉体202、第２の扉体203および第３の扉体204の上部後面に取り付けられている。
【０１７２】
すなわち、このレージトング機構171の左端に位置するクロスリンク体172aのリンク片173aに形成された連結用孔174aに貫通した支軸175aの先端部が、第２の扉体203の後面の上部右端部に固着されている。また、レージトング機構171の右端に位置するクロスリンク体172bのリンク片173bに形成された連結用孔174bに貫通した支軸175bの先端部が、第３の扉体204の後面の上部右端部に固着されている。さらに、レージトング機構171の中央に位置するクロスリンク体172のリンク片173に形成された連結用孔174に貫通した支軸175cの先端部が、第１の扉体202の後面の上部右端部に固着されている。こうして、レージトング機構171の中央部が第１の扉体202に連結され、レージトング機構171の一端部である左端部が第２の扉体203に連結され、レージトング機構171の他端部である右端部が第３の扉体204に連結された構成となり、このレージトング機構171の中央部を中心として両側が左右方向に向って互いに異なる方向に伸縮する。
【０１７３】
そして、この扉装置201は、レージトング機構171を備えるため、第１の扉体202、第２の扉体203および第３の扉体204のいずれか一つの扉体に開閉方向の力を加えると、このレージトング機構171にて、第２の扉体202と第３の扉体203とに互いに異なる移動方向の力が作用し、少なくとも一つの他の扉体が連動移動する。
【０１７４】
よって、この扉体の連動移動の結果、第２の扉体203および第３の扉体204が、ストッパー体27、或いは，ストッパー体121で開口部６の閉塞位置に係止されていない場合には、例えば、それぞれ一つの作業で、家具本体１の開口部６の両側を確実に最大限に開閉でき、また、第２の扉体203および第３の扉体204が、例えば、ストッパー体27、或いは，ストッパー体121で開口部６の閉塞位置に係脱自在に係止されている場合には、例えば、それぞれ一つの作業で、家具本体１の開口部６の左右いずれか一側を確実に最大限に開閉でき、煩雑な開閉作業を伴わず、また、開口部６の両側を順に確実に最大限に開口する際においても、三つの扉体が個々に移動する構造に比して、煩雑な開閉作業を伴わない。
【０１７５】
また、開口部６の開口時には、第１の扉体202に第２の扉体203および第３の扉体204をほぼ三重に重なる状態にでき、２枚からなる扉装置に比して最大の開口量を増やすことができる。
【０１７６】
さらに、例えば、第２の扉体203の後面の右端部であって、所定の高さ位置、つまり使用者が操作し易い高さ位置に、例えば凹状の取手等の操作部が形成されている場合には、開口部６の右側が開いた右側開口状態から、一つの作業で開口部６の左側が開いた左側開口状態にする際に、この操作部にて、開口部６の閉塞位置に位置する第２の扉体203に容易に右向きの力を加えることができる。よって、より簡単な一つの作業で開口部６の左側が開いた左側開口状態にできる。
【０１７７】
また、レージトング機構171が、第１の扉体202、第２の扉体203および第３の扉体204の上部後面に、このレージトング機構171の細長板状のリンク片173の上面および下面に沿った方向が垂直方向になるように取り付けられているため、これら複数の板状のリンク片173の上面に、ほこり等が積もりにくく、レージトング機構171の作動不良を防止でき、扉装置201のメンテナンス性の向上を図ることができる。さらに、取付けに際し、リンク支持体150、左側リンク取付体158、右側リンク取付体164の部材等の部材を必要としないため、部品点数を少なくすることができ、製造コストを低減できる。
【０１７８】
次に、本発明の扉装置の第７の関連技術の構成を図１６ないし図２１を参照して説明する。なお、上記第１の関連技術ないし第６の関連技術と略同一部分については適宜同一符号を付してその説明を省略する。
【０１７９】
図１７において、2aは家具本体１の天板であり、この天板2aの前端下面部には、互いに平行な左右方向に長手方向を有する３本の上レール体231，232，233が取り付けられている。これら３本の上レール体231，232，233は、アルミニウム等にて断面略コ字状に形成され、各上レール体231，232，233は下向きに開口している。
【０１８０】
一方、3aは家具本体１の底板であり、この底板3aの前端上面部には、互いに平行な左右方向に長手方向を有する３本の下レール体235，236，237が取り付けられている。これら３本の下レール体235，236，237は、アルミニウム等にて上面部が略Ｖ字状の凹溝状に形成されている。
【０１８１】
また、この底板3aの前端上面部の右端に、図２０（ａ）に示すように、３本の下レール体235，236，237のうち前方に位置する下レール体235の右端部に接触した状態で、係止手段としてのストッパー体238がねじ239にて固着されている。このストッパー体238は合成樹脂等にて略直方体状に形成され、このストッパー体238の右側上面には、上方に向って突出した係止突出部240が一体に形成されている。この係止突出部240は右端側から左端側に向って縮んだ形状、つまり、この係止突出部240の横断面は先端部が略円弧状の略台形形状に形成されている。
【０１８２】
なお、この底板3aの前端上面部の左端にも、３本の下レール体235，236，237のうち後方に位置する下レール体237の左端部に接触した状態で、ストッパー体238がねじにて固着されている。
【０１８３】
また、図１６、図１７および図２１において、241は扉装置であり、この扉装置241は、上下方向に縦長の長方形状で板状の第１の扉体242を有し、この第１の扉体242は、家具本体１の開口部６の閉塞時には、図１６に示すように、この開口部６のほぼ中央を閉塞する。また、この扉装置241は、開口部６の閉塞時において、この第１の扉体242のそれぞれ左右両側に位置する第２の扉体243と第３の扉体244とを有している。
【０１８４】
なお、第２の扉体243が、第１の扉体242に対し後方に位置して第１の扉体242の移動軌跡に沿った後側を移動し、また、第３の扉体244が、第１の扉体242に対し前方に位置して第１の扉体242の移動軌跡に沿った前側を移動する。
【０１８５】
まず、この第１の扉体242の上端部には、左右端に位置してプーリ受け体245，246が図示しないねじにて固着されている。そして、図１８に示すように、この第１の扉体242の左端に位置するプーリ受け体245は、例えば、スチール製で左右方向に長手状の板状に形成されている。
【０１８６】
さらに、このプーリ受け体245の左側上部には、左側プーリシャフト65が上方に立設され、この左側プーリシャフト65には、左側プーリ66が回動自在に取り付けられている。また、このプーリ受け体245のほぼ中央部には、軸貫通用孔248が形成されている。
【０１８７】
一方、第１の扉体242の上端部左端には、ピボット体250が圧入されている。このピボット体250は合成樹脂で成形した円筒状の筒部材251を有し、この筒部材251内には、図示しないコイルスプリングが収納されている。さらに、この筒部材251内にはピボット軸252が上下方向に移動可能に挿入され、このピボット軸252の下端部がコイルスプリングにて上方に付勢されている。
【０１８８】
そして、このピボット軸252が、プーリ受け体245の軸貫通用孔248に貫通され、このピボット軸252の上端部には、合成樹脂で成形した略円形状の第１の上ガイド体253が回動可能に取り付けられている。さらに、この第１の上ガイド体253は、天板2aに取り付けた上レール体232内に摺動自在に係合している。
【０１８９】
また一方、第１の扉体242の右端に位置するプーリ受け体246も、例えば、スチール製で左右方向に長手状の板状に形成され、このプーリ受け体246の右側上部には、右側プーリシャフト67が上方に立設され、この右側プーリシャフト67には、右側プーリ68が回動自在に取り付けられている。
【０１９０】
なお、この右端に位置するプーリ受け体246は、左端に位置するプーリ受け体245と左右対称であり、プーリ受け体246のほぼ中央部に形成された軸貫通用孔258には、ピボット体250と同一構造のピボット体260のピボット軸262が貫通されている。また、このピボット軸262の上端部には、合成樹脂で成形した略円形状の第１の上ガイド体263が回動可能に取り付けられている。さらに、この第１の上ガイド体263は、天板2aに取り付けた上レール体232内に摺動自在に係合している。
【０１９１】
さらに、これら左側プーリ66と右側プーリ68とには、無端環状のベルト体70、例えば、内周面に凹凸部を形成したタイミングベルトが掛け渡されている。
【０１９２】
また、この第１の扉体242の下端部には、左右側に位置して、底板3aに取り付けた下レール体236内に摺動自在に係合する回動自在な第１の下ガイドローラ265が取り付けられている。
【０１９３】
一方、扉装置241が有する第２の扉体243は、第１の扉体242の左右方向の長さとほぼ等しい左右方向の長さを有し、上下方向に縦長の長方形状で板状に形成され、この第２の扉体243は、家具本体１の開口部６の閉塞時には、図１６に示すように、この開口部６のほぼ左側を閉塞する。
【０１９４】
そして、この第２の扉体243の上端部には、左右端に位置してピボット受用板267，268が図示しないねじにて固着されている。この第２の扉体243の左端に位置するピボット受用板267は、例えば、スチール製で左右方向に長手状の板状に形成され、このピボット受用板267の左部に形成された軸貫通用孔269には、ピボット体250と同一構造のピボット体270のピボット軸272が貫通されている。また、このピボット軸272の上端部には、合成樹脂で成形した略円形状の第２の上ガイド体273が回動可能に取り付けられている。さらに、この第２の上ガイド体273は、天板2aに取り付けた上レール体233内に摺動自在に係合している。
【０１９５】
さらに、第２の扉体243の右端に位置するピボット受用板268も、例えば、スチール製で左右方向に長手状の板状に形成され、このピボット受用板268の右部に形成された軸貫通用孔275には、ピボット体250と同一構造のピボット体280のピボット軸282が貫通されている。また、このピボット軸282の上端部には、合成樹脂で成形した略円形状の第２の上ガイド体283が回動可能に取り付けられている。さらに、この第２の上ガイド体283は、天板2aに取り付けた上レール体233内に摺動自在に係合している。
【０１９６】
また、このピボット受用板268の前端部には、図１９に示すように、上方に向って略長方形状の伝達体取付部285が一体に形成されている。この伝達体取付部285の左側には二つのねじ用孔286，286が形成されている。
【０１９７】
そして、これら二つのねじ用孔286，286にねじ287，287が挿入されて、この伝達体取付部285に、断面略コ字状の左側伝達体95が固着されている。この左側伝達体95の内面にはベルト体70の凹凸部に対応する凸凹部が形成され、この左側伝達体95の凸凹部にベルト体70の凹凸部が嵌合されている。そして、この左側伝達体95にて、ベルト体70の一側である後側に、第２の扉体243がピボット受用板268を介して、連結されている。
【０１９８】
また、この第２の扉体243の下端部には、左右側に位置して、底板3aに取り付けた下レール体237内に摺動自在に係合する回動自在な第２の下ガイドローラ288が取り付けられている。
【０１９９】
一方、扉装置241が有する第３の扉体244は、第１の扉体242の左右方向の長さとほぼ等しい左右方向の長さを有し、上下方向に縦長の長方形状で板状に形成され、この第３の扉体244は、家具本体１の開口部６の閉塞時には、図１６に示すように、この開口部６のほぼ右側を閉塞する。なお、この第３の扉体244は、第２の扉体243と左右対称であり、第２の扉体243と略同一構造部分については、適宜同一符号を付してその説明を省略する。
【０２００】
この第３の扉体244の上端部には、左右端に位置してピボット受用板292，293が図示しないねじにて固着されている。
【０２０１】
そして、この第３の扉体244の左端に位置するピボット受用板292の前端部には、上方に向って略長方形状の伝達体取付部295が一体に形成され、この伝達体取付部295に断面略コ字状の右側伝達体115がねじ297にて固着されている。
【０２０２】
さらに、この右側伝達体115の内面にはベルト体70の凹凸部に対応する凸凹部が形成され、この右側伝達体115の凸凹部にベルト体70の凹凸部が嵌合されている。そして、この右側伝達体115にて、ベルト体70の一側の移動方向とは反対方向に移動する他側である前側に、第３の扉体244がピボット受用板292を介して、連結されている。
【０２０３】
また、ピボット受用板292の軸貫通用孔275に貫通したピボット体280のピボット軸282の上端部には、合成樹脂で成形した略円形状の第３の上ガイド体303が回動可能に取り付けられ、この第３の上ガイド体303は、天板2aに取り付けた上レール体231内に摺動自在に係合している。
【０２０４】
さらに、第３の扉体244の右端に位置するピボット受用板293の軸貫通用孔269に貫通したピボット体270のピボット軸272の上端部には、合成樹脂で成形した略円形状の第３の上ガイド体313が回動可能に取り付けられている。さらに、この第３の上ガイド体313は、天板2aに取り付けた上レール体231内に摺動自在に係合している。
【０２０５】
また、この第３の扉体244の下端部には、左右側に位置して、底板3aに取り付けた下レール体235内に摺動自在に係合する回動自在な第３の下ガイドローラ318が取り付けられている。
【０２０６】
さらに、この第３の扉体244の下端部の右端には、図２０（ａ）に示す、ストッパー受体320がねじ321にて固着されている。このストッパー受体320は合成樹脂等にて横断面が略コ字状をなす形状に形成されている。また、このストッパー受体320の内面には、図２０（ｂ）に示すように、一端側から他端側に向って拡開状に傾斜した案内面322，322が形成され、この案内面322，322の内端部に、これら案内面322，322の内端間の寸法より内側間の寸法が大きい略長方形状の係止凹部323が形成されている。
【０２０７】
そして、底板3aの上面部右端に固着したストッパー体238の係止突出部240が、ストッパー受体320の案内面322，322に案内され、この係止突出部240がストッパー受体320の係止凹部323に保持されることにより、このストッパー体238によって第３の扉体244が第１の扉体242の右側の閉塞位置に係脱自在に係止される。
【０２０８】
なお、第２の扉体243の下端部の左端にも、ストッパー受体320がねじにて固着され、底板3aの上面部左端にに固着したストッパー体238の係止突出部240が、ストッパー受体320の案内面322，322に案内され、この係止突出部240がストッパー受体320の係止凹部323に保持されることにより、このストッパー体238によって第２の扉体243が第１の扉体242の左側の閉塞位置に係脱自在に係止される。
【０２０９】
また、左側プーリ66、右側プーリ68、ベルト体70、左側伝達体95、右側伝達体115などにて連動手段としてのベルト機構120が構成される。
【０２１０】
そして、この扉装置241は、ベルト機構120を備えるため、第１の扉体242、第２の扉体243および第３の扉体244のいずれか一つの扉体に開閉方向の力を加えると、このベルト機構120にて、第２の扉体242と第３の扉体243とに互いに異なる移動方向の力が作用し、少なくとも一つの他の扉体が連動移動する。
【０２１１】
よって、この連動移動の結果、それぞれ一つの作業で、図２１に示すように、第１の扉体242に第２の扉体243および第３の扉体244が確実に三重に重なる状態にでき、家具本体１の開口部６の左右いずれか一側を確実に最大限に開閉でき煩雑な開閉作業を伴わず、また、開口部６の両側を順に確実に最大限に開口する際においても、三つの扉体が個々に移動するものに比して、煩雑な開閉作業を伴わない。
【０２１２】
また、開口部６の開口時には、第１の扉体242に第２の扉体243および第３の扉体244を確実に三重に重なる状態になるため、２枚からなる扉装置に比して最大の開口量を確実に増やすことができる。
【０２１３】
さらに、この扉装置241自体が家具本体１内に位置するため、家具本体１の前方にこの扉装置241自体の厚さ寸法分のスペースを必要としない上、ベルト機構120にほこり等が積もりにくく、ベルト機構120の作動不良を防止でき、扉装置241のメンテナンス性の向上を図ることができる。
【０２１４】
なお、上記第７の関連技術においては、扉装置241がストッパー体238およびストッパー受体320を有した構成として説明したが、これらストッパー体238およびストッパー受体320を有しない構成とする場合には、第２の扉体243および第３の扉体244のいずれか一方の扉体に開閉方向の力を加えると、ベルト機構120にて、第２の扉体243と第３の扉体244とに互いに異なる移動方向の力が作用するため、その結果、他方の第３の扉体244または第２の扉体243が、一つの作業で、図２１に示すように、第１の扉体242に第２の扉体243および第３の扉体244が確実に三重に重なる状態にでき、家具本体１の開口部６の両側を確実に最大限に開閉できる。
【０２１５】
また、第２の扉体243の前面部の左側の所定高さ位置、第２の扉体243の後面部の左右両側の所定高さ位置、および、第３の扉体244の前面部の右側の所定高さ位置に、凹状の取手等の操作部を設けることにより、これら扉体に開閉方向の力を加え行う開閉作業を更に容易にできる。
【０２１６】
次に、本発明の扉装置の一実施の形態の構成を図２２ないし図２５を参照して説明する。なお、上記第１ないし第７の関連技術と略同一部分については、適宜同一符号を付してその説明を省略する。
【０２１７】
この一実施の形態に係る図２２に示す扉装置331は、上記第７の関連技術に係る扉装置241に対して、組み立て性の向上を図ったものである。
【０２１８】
まず、上記７の関連技術では、天板2aの前端下面部に３本の上レール体231，232，233が取り付けられた構成として説明したが、これに対して、この一実施の形態では、図２４および図２５に示すように、家具本体１の天板2aの前端下面部には、アルミニウム等にて成形された左右方向に長手状の上レール体332が取り付けられている。
【０２１９】
そして、この上レール体332の下面前側および中央には、図示しない第３の上レール部および第１の上レール部が突出形成され、また、この上レール体332の下面後側には、図２４に示すように、第２の上レール部335が突出形成されている。なお、これらの第１の上レール部、第２の上レール部335および第３の上レール部は、互いに対向して位置する断面略Ｌ字状でかつ左右方向に長手状の一対のレール片336，336をそれぞれ有している。
【０２２０】
一方、前記扉装置331は、図２２に示すように、上下方向に縦長の長方形状で板状の第１の扉体342を有し、この第１の扉体342は、家具本体１の開口部６の閉塞時には、図２２に示すように、この開口部６のほぼ中央を閉塞する。
【０２２１】
また、この扉装置331は、開口部６の閉塞時において、前記第１の扉体342のそれぞれ左右両側に位置する第２の扉体343と第３の扉体344とを有している。
【０２２２】
なお、第２の扉体343が、第１の扉体342に対し後方に位置して第１の扉体342の移動軌跡に沿った後側を移動し、また、第３の扉体344が、第１の扉体342に対し前方に位置して第１の扉体342の移動軌跡に沿った前側を移動する。
【０２２３】
まず、前記第１の扉体342の上端部には、左右端に位置してプーリ受けユニット345，346が図示しないねじにて固着されている。
【０２２４】
そして、この第１の扉体342の左端に固着されたプーリ受けユニット345は、例えばスチール製で、略長方形状の板状に形成された基部348を有し、この基部348の左側上部には左側プーリ66aが回動自在に取り付けられた左側プーリシャフト65が立設され、また、この基部348のほぼ中央部には軸貫通用孔248が形成されている。
【０２２５】
さらに、この基部348は、左側前面部から上方に向って一体形成されたのち前方に向って一体形成された断面略Ｌ字状の第１の当接部350を有するとともに、左側後面部から上方に向って一体形成されたのち後方に向って一体形成された断面略Ｌ字状の第２の当接部351を有している。
【０２２６】
同様に、この第１の扉体242の右端に固着されたプーリ受けユニット346も、例えばスチール製で、略長方形状の板状に形成された基部348を有し、この基部348の右側上部には右側プーリ68aが回動自在に取り付けられた右側プーリシャフト67が立設され、ほぼ中央部には軸貫通用孔248が形成されている。
【０２２７】
さらに、この基部348は、右側後面部から上方に向って一体形成されたのち後方に向って一体形成された断面略Ｌ字状の第１の当接部350を有するとともに、右側前面部から上方に向って一体形成されたのち前方に向って一体形成された断面略Ｌ字状の第２の当接部351を有している。
【０２２８】
そして、これらの左側プーリ66aと右側プーリ68aとには、無端環状のベルト体70a、例えば、断面略円形状の丸状ベルトが掛け渡されている。
【０２２９】
さらに、このベルト体70aの一側である後側には、一側伝達体としての左側伝達体95aが取り付けられている。なお、この左側伝達体95aは、開口部６の閉塞時においては、図２２に示すように、ベルト体70aの後側の左端部に位置している。
【０２３０】
一方、このベルト体70aの一側の移動方向とは反対方向に移動する他側である前側には、他側伝達体としての右側伝達体115aが取り付けられている。なお、この右側伝達体115aは、開口部６の閉塞時においては、図２２に示すように、ベルト体70aの前側の右端部に位置している。
【０２３１】
これらの左側伝達体95aと右側伝達体115aとは、ベルト体70aの前後両側に左右対称に取り付けられているが、その構成自体は同一であるため、左側伝達体95aの構成についてのみ説明し、右側伝達体115aについては同一符号を付してその説明を省略する。
【０２３２】
この左側伝達体95aは、図２２に示すように、前記ベルト体70aに取り付けらた状態において、左右方向に長手方向を有する左前部を切り欠いた高さ寸法の小さい略直方体状の基部353を有している。
【０２３３】
まず、この基部353の左側面には、開口部６の閉塞の際に、前記第２の当接部351が当接する第２の当接面354が形成されている。また、この基部353の右側面には、開口部６を最大限に開口する際に、前記第１の当接部350が当接する第１の当接面355が形成されている。
【０２３４】
さらに、この基部353のほぼ中央部には、例えば上面から下面へ貫通した略円形状の嵌挿用孔である被嵌挿部356が形成されている。なお、この被嵌挿部356の内径は、この被嵌挿部356に嵌挿される後述の嵌挿突部であるピボット軸282の外径より大きく、このピボット軸282の上端部に取り付けられた上ガイド体283，303の外径より少しだけ大きい寸法とされている。
【０２３５】
また、この基部353の上面の長手方向に沿ったほぼ中央近傍には、図２５に示すように、前記上レール体332の第２の上レール部335内であって一対のレール片336，336間に摺動自在に係合された係合凸部358が突出形成されている。
【０２３６】
さらに、この基部353の前面部には、略長方形で板状のベルト体受け部359が突出形成されている。このベルト体受け部359の上面には、前記ベルト体70aの一部が嵌合した断面略円弧状の嵌合溝360が長手方向に沿って形成されている。
【０２３７】
また、このベルト体受け部359の上面には、ほぼ中央に位置してねじ部が形成され、このねじ部に図示しない取付け用ねじが螺着されることにより、この取付け用ねじが貫通された貫通孔361を有したベルト体締付け板362が取り付けられている。
【０２３８】
なお、このベルト体締付け板362の下面から突出形成された圧着部363が前記ベルト体70aの一部に圧着されることにより、このベルト体70aの一部が前記ベルト体受け部359の嵌合溝360内に嵌合圧入されて、この左側伝達体95aがこのベルト体70aに取り付けらている。
【０２３９】
一方、扉装置331が有する第２の扉体343は、第１の扉体342の左右方向の長さとほぼ等しい左右方向の長さを有し、上下方向に縦長の長方形状で板状に形成され、この第２の扉体343は、家具本体１の開口部６の閉塞時には、この開口部６のほぼ左側を閉塞する。
【０２４０】
この第２の扉体343の上端部の左右端には、上記第７の関連技術ではピポット受用板268，269が設けられた構成として説明したが、この一実施の形態においては、これらのピボット受用板268，269を設けない構成とする。
【０２４１】
しかし、この一実施の形態においても、第２の扉体343の上端部の左端には、ピボット軸272、第２の上ガイド体273等を有したピボット体270が圧入されているとともに、上端部の右端には、図２４および図２５に拡大して示す、ピボット軸282、第２の上ガイド体283等を有したピボット体280が圧入されている。
【０２４２】
一方、扉装置331が有する第３の扉体344は、第１の扉体342の左右方向の長さとほぼ等しい左右方向の長さを有し、上下方向に縦長の長方形状で板状に形成され、この第３の扉体344は、家具本体１の開口部６の閉塞時には、この開口部６のほぼ右側を閉塞する。
【０２４３】
この第３の扉体344についても、前記第２の扉体343と同様であり、上記第７の関連技術ではピポット受用板292，293が設けられた構成として説明したが、この第３の扉体344上端部の左右端には、ピボット受用板292，293を設けない構成とする。
【０２４４】
しかし、この一実施の形態においても、第３の扉体344の上端部の左端には、ピボット軸282、第３の上ガイド体303等を有したピボット体280が圧入されているともに、上端部の右端には、ピボット軸272、第３の上ガイド体313等を有したピボット体270が圧入されている。
【０２４５】
そして、これらの第２の扉体343の上右端部および第３の扉体344の上左端部に圧入されたピボット体280，280が有したピボット軸282，282が嵌挿突部を構成し、これらの両扉体343，344の嵌挿突部であるピボット軸282，282が、前記両伝達体95a，115aの被嵌挿部356，356に嵌挿されて、図２５に示すように、前記ベルト体70aの両側に両扉体343，344がそれぞれ連結されている。
【０２４６】
なお、左側プーリ66a、右側プーリ68a、ベルト体70a、左側伝達体95a、右側伝達体115a等にて、連動手段としてのベルト機構120aが構成されている。
【０２４７】
次に、上記一実施の形態の作用について説明する。
【０２４８】
扉装置331の組立てのうち、第１の扉体342、第２の扉体343および第３の扉体344の家具本体１への取付けについて説明すると、まず、前記ベルト機構120a等を上部に備えた第１の扉体342を、第１の下ガイドローラ265を下レール体236内に係合させるとともに、第１の上ガイド体253，263を上レール体332の第１の上レール部に係合させることにより、家具本体１に移動自在に取り付ける。
【０２４９】
この際、左側伝達体95aおよび右側伝達体115aの係合凸部358，358を、上レール体332の第２の上レール部335内であって一対のレール片336，336間に摺動自在に係合される。
【０２５０】
次いで、例えば、前記嵌挿突部であるピボット軸282、第２の上ガイド体283等を備えた第２の扉体343を、第２の下ガイドローラ288を下レール体237内に係合させるとともに第２の上ガイド体273，283を上レール体332の第２の上レール部335に係合させることにより、家具本体１に移動自在に取り付ける。
【０２５１】
この際、図２４および図２５に示すように、ピボット軸282および第２の上ガイド体283を、ベルト体70aの後側に取り付けた左側伝達体95aの被嵌挿部356に挿入することにより、このピボット軸282をこの被嵌挿部356に嵌挿させて、このベルト体70aの後側に第２の扉体343を連結させる。
【０２５２】
なお、必要に応じて、ピボット軸282を筒部材251内に収納されたコイルスプリングの付勢力に抗して、この筒部材251内に位置させて、この被嵌挿部356への嵌挿作業を行う。
【０２５３】
続いて、同様にして、前記嵌挿突部であるピボット軸282、第３の上ガイド体303等を備えた第３の扉体344を、第３の下ガイドローラ318を下レール体235内に係合させるとともに第３の上ガイド体303，313を上レール体332の第３の上レール部に係合させることにより、家具本体１に移動自在に取り付ける。
【０２５４】
この際、ピボット軸282および第３の上ガイド体303を、ベルト体70aの前側に取り付けた右側伝達体115aの被嵌挿部356に挿入することにより、このピボット軸282をこの被嵌挿部356に嵌挿させて、このベルト体70aの前側に第３の扉体344を連結させる。
【０２５５】
なお、必要に応じて、ピボット軸282を筒部材251内に収納されたコイルスプリングの付勢力に抗して、この筒部材251内に位置させて、この被嵌挿部356への嵌挿作業を行う。
【０２５６】
このように、家具本体１の開口部６に設けられた扉装置331は、ベルト機構120aを備えるため、第１の扉体342、第２の扉体343および第３の扉体344のいずれか一つの扉体に開閉方向の力を加えると、このベルト機構120a  にて、第２の扉体342と第３の扉体343とに互いに異なる移動方向の力が作用し、少なくとも一つの他の扉体が連動移動する。
【０２５７】
よって、この連動移動の結果、それぞれ一つの作業で、図２３に示すように、第１の扉体342に、第２の扉体343および第３の扉体344が確実に三重に重なる状態にでき、家具本体１の開口部６の左右いずれか一側を確実に最大限に開閉でき煩雑な開閉作業を伴わず、また、開口部６の両側を順に確実に最大限に開口する際においても、三つの扉体が個々に移動するものに比して、煩雑な開閉作業を伴わない。
【０２５８】
また、上記第７の関連技術と同様の作用効果を奏するほか、この一実施の形態に係る扉装置331によれば、扉装置331を組み立てる場合において、第１の扉体342、第２の扉体343および第３の扉体344の家具本体１への取付けの際に、第２の扉体343および第３の扉体344にそれぞれ圧入したピボット体280，280が有するピボット軸282，282を、一側伝達体95aおよび他側伝達体115aの基部353，353にそれぞれ形成した被嵌挿部356，356に嵌挿させるのみで、ベルト体70aの両側に第２の扉体343と第３の扉体344とをそれぞれ連結でき、扉装置331の組み立て性の向上を図ることができ、しかも、上記第７の関連技術に比して部品点数を少なくでき、製造コストの低減を図ることもできる。
【０２５９】
特に、各被嵌挿部356の内径は、この被嵌挿部356に嵌挿される嵌挿突部であるピボット軸282の外径より大きいため、このピボット軸282の被嵌挿部356への嵌挿作業は極めて容易に行うことができる。
【０２６０】
また、この扉装置331は、第１の当接部350および第２の当接部351を有したプーリ受けユニット345，346を備えるとともに、第１の当接面355および第２の当接面354が形成された一側伝達体95aおよび他側伝達体115aを備えるため、開口部６の閉塞の際にはこの第２の当接部351が第２の当接面354に当接し、開口部６を最大限に開口する際には第１の当接部350が第１の当接面355に当接するので、左側プーリ66a、右側プーリ68a、ベルト体70a等の損傷を防止できる。
【０２６１】
なお、上記一実施の形態においては、嵌挿突部であるピボット軸282，282を第２の扉体343および第３の扉体344にそれぞれ設け、かつ、被嵌挿部356，356を一側伝達体95aおよび他側伝達体115aにそれぞれ設けた構成として説明したが、逆に、例えば軸状の嵌挿突部を一側伝達体95aおよび他側伝達体115aにそれぞれ設け、かつ、この嵌挿突部が嵌挿される被嵌挿部を第２の扉体343および第３の扉体344にそれぞれ設けた構成としてもよい。
【０２６２】
また、上記一実施の形態においては、一側伝達体95aおよび他側伝達体115aの基部353に形成した被嵌挿部356，356は、上面から下面へ貫通した略円形状の嵌挿用孔であるとして説明したが、この形状には限定されず、例えば、被嵌挿部は一側伝達体95aおよび他側伝達体115aの基部353の下部に形成された凹部でもよい。なお、この場合には、この凹部に嵌挿するこの凹部に対応する形状をなす、ピボット軸282，282とは別の嵌挿突部を、第２の扉体343および第３の扉体344にそれぞれ設ける。
【０２６３】
さらに、上記一実施の形態においては、一側伝達体95aおよび他側伝達体115aの基部353に形成した被嵌挿部356，356は、その内径はピボット軸282，282の外径より大きい形状として説明したが、この形状には限定されず、例えば、ピボット軸282，282に比べて、外径寸法の大きいピボット軸を用いた場合において、このピボット軸の外径より少しだけ大きい内径寸法の被嵌挿部としてもよい。この場合には、ピボット軸が被嵌挿部に嵌挿されたときには、ピボット軸と被嵌挿部との間にほとんど隙間がない嵌合状態にできる。
【０２６４】
また、図２６に示すように、一側伝達体95aおよび他側伝達体115aの基部353の下部に、ピボット軸282，282の形状に対応する形状をなす凹部状の被嵌挿部356aを形成するとともに、この基部353の上部に上ガイド体283，303を取り付けた構成としてもよい。
【０２６５】
なお、上記第１ないし第７の関連技術および第一実施の形態においては、被扉体設置対象物は家具本体１であり、かつ、被閉切り部はこの家具本体１の開口部６として説明したが、被扉体設置対象物が例えば建造物であり、かつ、被閉切り部がこの建造物内の空間部の一部でもよい。すなわち、扉装置41，131，141，181，201，241，331を間仕切りとして使用することもできる。
【０２６６】
また、上記第１ないし第７の関連技術および一実施の形態は、第１のガイドレール25および第２のガイドレール26、さらに必要に応じて第３のガイドレール186を備えた構成として説明したが、これら第１のガイドレール25、第２のガイドレール26または第３のガイドレール186は必ずしも必要ではなく、第１の扉体42，132，142，182，202，242，342、第２の扉体43，133，143，183，203，243，343および第３の扉体44，134，144，184，204，244，344が開口部６に沿って左右方向に移動自在に設けられていればよい。
【０２６７】
さらに、上記第１ないし第７の関連技術および一実施の形態においては、第１の扉体42，132，142，182，202，242，342、第２の扉体43，133，143，183，203，243，343および第３の扉体44，134，144，184，204，244，344は、上下方向に縦長の長方形状で板状として説明したが、他のいかなる形状でもよく、また、左右方向の長さ寸法も上記各関連技術および実施の形態での長さには限定されない。
【０２６８】
また、上記第１の関連技術ないし第３の関連技術および第５の関連技術においては、ベルト機構120を、扉装置41，131，181の下部に設けた構成として説明したが、扉装置41，131，181の上部に設けた構成でもよく、また、扉装置41，131，181の上下部にそれぞれ設けた構成でもよい。
【０２６９】
さらに、上記第４の関連技術においては、扉装置141は、下部にベルト機構120を設け、かつ、上部にレージトング機構171を設けた構成として説明したが、下部或いは上部にレージトング機構171のみを設けた構成でもよい。また、上部にベルト機構120を設け、かつ、下部にレージトング機構171を設けた構成でもよい。
【０２７０】
また、上記第４の関連技術においては、上記第２の関連技術のように、第２の扉体143および第３の扉体144を第１の扉体142に対し後方に位置させ、第２の扉体143および第３の扉体144が第１の扉体142の移動軌跡に沿った後側を移動する構成でもよい。また、第４の関連技術において、上記第３の関連技術のように、ストッパー体27，121を有しない構造でもよく、このような構造とした場合、例えば、それぞれ一つの作業で、家具本体１の開口部６の両側を機械的に効率よく、更に確実に最大限に開閉できる。
【０２７１】
さらに、上記第６の関連技術においては、レージトング機構171を、第１の扉体202、第２の扉体203および第３の扉体204の後面の上部に設けた構成として説明したが、第２の扉体203および第３の扉体204の後面の中央部或るは下部に設けてもよく、特に後面の下部に設けた場合には、扉装置201のメンテナンス性の向上を確実に図ることができる。
【０２７２】
一方、第１ないし第７の関連技術において、係止手段はストッパー体27、ストッパー体121或いはストッパー体238、として説明したが、例えば、磁石体、鉄片等の磁性体にて形成することもできる。例えば、一側面にＳ極またはＮ極の磁極面を設けた略直方体状のストッパー体であり、この場合、係止軸87にＮ極またはＳ極のいずれかの磁極面を設ける。また、係止軸87を磁石体とするとともに略直方体状のストッパー体を係止軸87が近接することにより磁化される磁性体とする構成、或いは、係止軸87を磁性体とするとともに略直方体状のストッパー体を磁石体とする構成でもよい。さらには、係止軸87、ストッパー体を有しない構成とし、家具本体１の左側板４および右側板５の前端部、第２の扉体43の左端部、第３の扉体44の右端部に所定形状の磁石体、磁性体を取り付けた構成でもよい。
【０２７３】
【発明の効果】
本発明によれば、被扉体設置対象物の被閉切り部を開閉する場合に、第１の扉体、第２の扉体および第３の扉体のいずれか一つの扉体に開閉方向の力を加えると、連動手段にて第２の扉体と第３の扉体とに互いに異なる移動方向に力が作用し、少なくとも一つの他の扉体が連動移動するため、三つの扉体が個々に移動するものに比して、被扉体設置対象物の被閉切り部を容易に最大限に開閉でき、煩雑な開閉作業を伴わない。
【図面の簡単な説明】
【図１】本発明の扉装置の第１の関連技術を示す閉塞時における一部を省略した底面図である。
【図２】同上扉装置を示す一部を省略した縦断面図である。
【図３】同上扉装置を示す一部を省略した正面図である。
【図４】同上扉装置を示す開口時における一部を省略した底面図である。
【図５】同上扉装置のストッパー体を示す平面図である。
【図６】同上扉装置の他のストッパー体を示す平面図である。
【図７】（ａ）は本発明の扉装置の第２の関連技術を示す閉塞時における一部を省略した底面図であり、（ｂ）はこの扉装置を示す開口時の説明図であり、（ｃ）はこの扉装置を示す一部を省略した底板図である。
【図８】本発明の扉装置の第４の関連技術を示す閉塞時における一部を省略した平面図である。
【図９】同上扉装置を示す一部を省略した縦断面図である。
【図１０】同上扉装置を示す一部を省略した正面図である。
【図１１】連動手段としてのラックおよびピニオンを示す一部を省略した底面図である。
【図１２】（ａ）は本発明の扉装置の第５の関連技術を示す閉塞時における一部を省略した底面図であり、（ｂ）はこの扉装置を示す開口時における説明図である。
【図１３】本発明の扉装置の第６の関連技術を示す閉塞時における一部を省略した平面図である。
【図１４】同上扉装置を示す一部を省略した縦断面図である。
【図１５】同上扉装置を示す一部を省略した背面図である。
【図１６】本発明の扉装置の第７の関連技術を示す閉塞時における一部を省略した平面図である。
【図１７】同上扉装置を示す一部を省略した縦断面図である。
【図１８】同上扉装置のベルト機構を示す一部を省略した正面図である。
【図１９】同上扉装置のピボット受用板およびピボット体を示す正面図である。
【図２０】（ａ）は同上扉装置のストッパー体およびストッパー受体を示す斜視図であり、（ｂ）はこのストッパー受体を示す平面図である。
【図２１】同上扉装置を示す開口時における平面図である。
【図２２】本発明の扉装置の一実施の形態を示す閉塞時における一部を省略した底面図である。
【図２３】同上扉装置を示す開口時における一部を省略した平面図である。
【図２４】同上扉装置の左側伝達体およびピボット体を示すベルト体に第２の扉体が連結される前の状態における断面図である。
【図２５】同上扉装置の左側伝達体およびピボット体を示すベルト体に第２の扉体が連結された状態における断面図である。
【図２６】同上扉装置の他の伝達体およびピボット体を示すベルト体に扉体が連結された状態における断面図である。
【符号の説明】
１    被扉体設置対象物としての家具本体
６    被閉切り部としての開口部
27，121，238    係止手段としてのストッパー体
41，131，141，181，201，241，331    扉装置
42，132，142，182，202，242，342    第１の扉体
43，133，143，183，203，243，343    第２の扉体
44，134，144，184，204，244，344    第３の扉体
66，66a，68，68a    プーリ
70，70a    ベルト体
95，95a    一側伝達体としての左側伝達体
115，115a    他側伝達体としての右側伝達体
120，120a    連動手段としてのベルト機構
171  連動手段としてのレージトング機構
172  クロスリンク体
173  リンク片
282  嵌挿突部であるピポット軸
356，356a    被嵌挿部
【図１】
0003623073.tif 000002
【図２】
0003623073.tif 000003
【図３】
0003623073.tif 000004
【図４】
0003623073.tif 000005
【図５】
0003623073.tif 000006
【図６】
0003623073.tif 000007
【図７】
0003623073.tif 000008
【図８】
0003623073.tif 000009
【図９】
0003623073.tif 000010
【図１０】
0003623073.tif 000011
【図１１】
0003623073.tif 000012
【図１２】
0003623073.tif 000013
【図１３】
0003623073.tif 000014
【図１４】
0003623073.tif 000015
【図１５】
0003623073.tif 000016
【図１６】
0003623073.tif 000017
【図１７】
0003623073.tif 000018
【図１８】
0003623073.tif 000019
【図１９】
0003623073.tif 000020
【図２０】
0003623073.tif 000021
【図２１】
0003623073.tif 000022
【図２２】
0003623073.tif 000023
【図２３】
0003623073.tif 000024
【図２４】
0003623073.tif 000025
【図２５】
0003623073.tif 000026
【図２６】
0003623073.tif 000027